(57)【特許請求の範囲】
【請求項１】
ＵＥによって実行される、ワイヤレスネットワークサービスを検出するための方法であって、
ネットワークからの１つまたは複数のブロードキャストメッセージを発見することと、ここにおいて、前記１つまたは複数のブロードキャストメッセージは、無認可周波数帯域中でセルラー無線アクセス技術（ＲＡＴ）を介してサービスプロバイダネットワークにアクセスするためのサービスを広告する、
前記サービスプロバイダネットワークに関係するサービスプロバイダを識別することに基づいて、前記ネットワークを選択することに関係する１つまたは複数のユーザ定義ポリシーまたは事業者定義ポリシーを決定することと、前記１つまたは複数のユーザ定義ポリシーまたは事業者定義ポリシーは、サービングネットワークの異なるタイプからのハンドオーバのために前記ネットワークのタイプの選択が許可されているかどうかを示し、前記ネットワークの前記タイプは、バックエンドネットワーク構成要素の第１のセットに関連し、前記サービングネットワークの前記異なるタイプは、バックエンドネットワーク構成要素の第２のセットに関連し、
前記１つまたは複数のユーザ定義ポリシーまたは事業者定義ポリシーに少なくとも部分的に基づいて、前記サービングネットワークからのハンドオーバのために前記ネットワークを選択することと、前記ネットワークを選択することは、前記１つまたは複数のユーザ定義ポリシーまたは事業者定義ポリシーによって示されるように、前記サービングネットワークの前記異なるタイプからのハンドオーバのために前記ネットワークの前記タイプの選択が許可されていると決定することに少なくとも部分的に基づく、
を備える、方法。
【請求項２】
前記１つまたは複数のユーザ定義ポリシーまたは事業者定義ポリシーのうちの少なくとも１つが、ワイヤレスローカルエリアネットワークと、前記無認可周波数帯域中で前記セルラーＲＡＴを使用して通信する前記ネットワークの両方に関する、請求項１に記載の方法。
【請求項３】
前記ネットワークからの前記１つまたは複数のブロードキャストメッセージを発見することが、ワイヤレスローカルエリアネットワーク（ＷＬＡＮ）と、前記無認可周波数帯域中で前記セルラーＲＡＴを使用して通信するネットワークの両方を含む複数のネットワークからの複数のブロードキャストメッセージを探索することを備える、請求項１に記載の方法。
【請求項４】
インターフェースを介して利用可能なネットワークのリストを与えることをさらに備え、ここにおいて、利用可能なネットワークの前記リストが、少なくとも１つのＷＬＡＮの識別子と、前記無認可周波数帯域中で前記セルラーＲＡＴを使用して通信する少なくとも１つのネットワークの別の識別子とを含む、請求項３に記載の方法。
【請求項５】
前記無認可周波数帯域中で前記セルラーＲＡＴを使用して通信する前記少なくとも１つのネットワークについて証明書が記憶されているかどうかを、前記インターフェースを介して示すことをさらに備える、請求項４に記載の方法。
【請求項６】
前記複数のネットワークを探索することが、前記複数のネットワークを探索することより前に定義された１つまたは複数のユーザ定義ポリシーまたは事業者定義ポリシーに少なくとも部分的に基づく、請求項３に記載の方法。
【請求項７】
前記ネットワークを選択することが、前記１つまたは複数のユーザ定義ポリシーまたは事業者定義ポリシーに少なくとも部分的に基づいて、前記無認可周波数帯域中で前記セルラーＲＡＴを使用して通信するネットワークおよびＷＬＡＮを使用して同時に通信するための前記ネットワークを選択することを備える、請求項３に記載の方法。
【請求項８】
前記１つまたは複数のユーザ定義ポリシーまたは事業者定義ポリシーが、前記ＷＬＡＮと、前記セルラーＲＡＴを使用して通信する前記ネットワークとへの同時接続が可能にされるかどうかを示す、請求項３に記載の方法。
【請求項９】
前記サービスプロバイダネットワークに関係する第２のネットワークが、前記無認可周波数帯域中で前記セルラーＲＡＴを介してモバイルネットワーク事業者（ＭＮＯ）ネットワークへのアクセスを広告すると決定することと、
１つまたは複数の上位レイヤに前記ネットワークと前記第２のネットワークとを報告することと、ここにおいて、前記ネットワークを選択することが、前記ネットワークまたは前記第２のネットワークを選択することを含む、
をさらに備える、請求項１に記載の方法。
【請求項１０】
前記ネットワークを選択することにおける認証の失敗を検出することに少なくとも部分的に基づいて、ブラックリストに前記ネットワークのネットワーク識別子を追加することをさらに備える、請求項１に記載の方法。
【請求項１１】
前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、請求項１０に記載の方法。
【請求項１２】
構成された時間期間の後に前記ブラックリストから前記ネットワークを削除することをさらに備える、請求項１０に記載の方法。
【請求項１３】
前記ネットワーク上で前記ＵＥを認証するために前記ネットワークに証明書を与えることをさらに備え、ここにおいて、前記証明書が、前記サービスプロバイダネットワークのサービスプロバイダに関係する別のネットワークの選択に関する、請求項１に記載の方法。
【請求項１４】
ワイヤレスネットワークサービスを検出するためのＵＥ装置であって、
ネットワークからの１つまたは複数のブロードキャストメッセージを発見するための手段と、ここにおいて、前記１つまたは複数のブロードキャストメッセージは、無認可周波数帯域中でセルラー無線アクセス技術（ＲＡＴ）を介してサービスプロバイダネットワークにアクセスするためのサービスを広告する、
前記サービスプロバイダネットワークに関係するサービスプロバイダを識別することに基づいて、前記ネットワークを選択することに関係する１つまたは複数のユーザ定義ポリシーまたは事業者定義ポリシーを決定するための手段と、前記１つまたは複数のユーザ定義ポリシーまたは事業者定義ポリシーは、サービングネットワークの異なるタイプからのハンドオーバのために前記ネットワークのタイプの選択が許可されているかどうかを示し、前記ネットワークの前記タイプは、バックエンドネットワーク構成要素の第１のセットに関連し、前記サービングネットワークの前記異なるタイプは、バックエンドネットワーク構成要素の第２のセットに関連し、
前記１つまたは複数のユーザ定義ポリシーまたは事業者定義ポリシーに少なくとも部分的に基づいて、前記サービングネットワークからのハンドオーバのために前記ネットワークを選択するための手段と、前記ネットワークを選択するための前記手段は、前記１つまたは複数のユーザ定義ポリシーまたは事業者定義ポリシーによって示されるように、前記サービングネットワークの前記異なるタイプからのハンドオーバのために前記ネットワークの前記タイプの選択が許可されていると決定することに少なくとも部分的に基づいて前記ネットワークを選択する、
を備える、ＵＥ装置。
【請求項１５】
請求項１ないし１３のいずれか一項に記載の方法の全てのステップを実施するためにコンピュータ実行可能であるプログラム命令を備えたコンピュータプログラム。
【発明の詳細な説明】
【技術分野】
【０００１】
優先権の主張
[0001]本特許出願は、本出願の譲受人に譲渡され、参照により本明細書に明確に組み込まれる、２０１５年５月５日に出願された「TECHNIQUES FOR NETWORK SELECTION IN UNLICENSED FREQUENCY BANDS」と題する非仮出願第１４／７０４，５３９号、および２０１４年５月６日に出願された「APPARATUS AND METHOD FOR LTE OVER UNLICENSED NETWORK SELECTION」と題する仮出願第６１／９８９，３０８号の優先権を主張する。
【背景技術】
【０００２】
[0002]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標）：Long Term Evolution）システム、および直交周波数分割多元接続（ＯＦＤＭＡ）システムがある。
【０００３】
[0003]概して、ワイヤレス多元接続通信システムは、複数のユーザ機器デバイス（ＵＥ）のための通信を同時にサポートすることができる。各ＵＥは、順方向リンクおよび逆方向リンク上での送信を介して、発展型ノードＢ（ｅＮＢ）など、１つまたは複数の基地局と通信する。順方向リンク（またはダウンリンク）は、ｅＮＢからＵＥへの通信リンクを指し、逆方向リンク（またはアップリンク）は、ＵＥからｅＮＢへの通信リンクを指す。この通信リンクは、単入力単出力、多入力単出力または多入力多出力（ＭＩＭＯ）システムを介して確立され得る。この点について、ＵＥは、１つまたは複数のｅＮＢを介してワイヤレスネットワークにアクセスすることができる。
【０００４】
[0004]これらのシステムのためのネットワーク展開は、一般に固定され、したがって、ｅＮＢは、所与のネットワーク上でＵＥのためのサブスクリプション情報を取得および／または検証するために、ＵＥに関係するホームネットワークと通信する。ワイヤレスネットワークは、一般に、ＵＥをそれの国際モバイル加入者識別子（ＩＭＳＩ）および／または他の識別情報を使用して識別することに基づき得る、ワイヤレスネットワークのＵＥ加入者に関係する情報を管理するためのホーム加入者サーバ（ＨＳＳ）を採用する。この点について、ＵＥにワイヤレスネットワークアクセスを与えるｅＮＢは、ＵＥのサブスクリプションを検証するために、（たとえば、１つまたは複数のネットワークノードを渡る(traverse)ことによって）ＵＥのＨＳＳと通信することができる。多くの例では、ｅＮＢは、訪問先ネットワーク上にあり得、サブスクリプションを検証するためにＵＥのホームネットワーク上のＨＳＳにアクセスすることができる。
【０００５】
[0005]しかしながら、認証がサードパーティネットワークの所有者によって管理され、および／または無認可スペクトル中の周波数帯域が通信のために使用される、サードパーティネットワークを介した他のコンテキストにおいて、ＵＥが、１つまたは複数のワイヤレスネットワーク技術を使用して通信することを可能にしたいという要望がある。
【発明の概要】
【０００６】
[0006]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
[0007]一例によれば、ワイヤレスネットワークサービスを検出するための方法が提供される。本方法は、ユーザ機器（ＵＥ）において、無認可周波数中でセルラー無線アクセス技術（ＲＡＴ）を介してサービスプロバイダネットワークへのアクセスを広告するネットワークを発見することを含む。本方法はまた、ＵＥによって、ネットワークを選択することに関係する１つまたは複数のユーザ定義ポリシーまたは事業者定義ポリシーを決定することと、１つまたは複数のユーザ定義ポリシーまたは事業者定義ポリシーに少なくとも部分的に基づいて、アクセスのためのネットワークを選択することとを含む。
【０００８】
[0008]別の例では、ワイヤレスネットワークサービスを検出するための装置が提供される。本装置は、無認可周波数中でセルラー無線アクセス技術（ＲＡＴ）を介してサービスプロバイダネットワークへのアクセスを広告するネットワークを発見するように構成されたネットワーク発見構成要素と、ネットワークを選択することに関係する１つまたは複数のユーザ定義ポリシーまたは事業者定義ポリシーを決定するように構成されたユーザ定義ポリシー構成要素または事業者定義ポリシー構成要素と、１つまたは複数のユーザ定義ポリシーまたは事業者定義ポリシーに少なくとも部分的に基づいて、アクセスのためのネットワークを選択するように構成されたネットワーク接続構成要素とを含む。
【０００９】
[0009]また別の例では、ワイヤレスネットワークサービスを検出するための装置が提供される。本装置は、無認可周波数中でセルラー無線アクセス技術（ＲＡＴ）を介してサービスプロバイダネットワークへのアクセスを広告するネットワークを発見するための手段と、ネットワークを選択することに関係する１つまたは複数のユーザ定義ポリシーまたは事業者定義ポリシーを決定するための手段と、１つまたは複数のユーザ定義ポリシーまたは事業者定義ポリシーに少なくとも部分的に基づいて、アクセスのためのネットワークを選択するための手段とを含む。
【００１０】
[0010]別の例では、ワイヤレスネットワークサービスを検出するためのコンピュータ実行可能コードを備えるコンピュータ可読記憶媒体が提供される。コードは、無認可周波数中でセルラー無線アクセス技術（ＲＡＴ）を介してサービスプロバイダネットワークへのアクセスを広告するネットワークを発見するためのコードと、ネットワークを選択することに関係する１つまたは複数のユーザ定義ポリシーまたは事業者定義ポリシーを決定するためのコードと、１つまたは複数のユーザ定義ポリシーまたは事業者定義ポリシーに少なくとも部分的に基づいて、アクセスのためのネットワークを選択するためのコードとを含む。
【００１１】
[0011]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【００１２】
[0012]開示する態様について、開示する態様を限定するためにではなく、例示するために与える、添付の図面とともに以下で説明し、同様の表示は同様の要素を示す。
【図面の簡単な説明】
【００１３】
【図１】[0013]本明細書で説明する態様による、ホットスポットアクセスを与えるための例示的なシステムを示す図。
【図２】[0014]本明細書で説明する態様による、ワイヤレス通信サービスをオフロードするための例示的なシステムを示す図。
【図３】[0015]本明細書で説明する態様による、様々なタイプのネットワークを選択するための例示的なシステムを示す図。
【図４】[0016]本明細書で説明する態様による、様々なタイプのネットワークを選択するための例示的な方法を示す図。
【図５】[0017]本明細書で説明する態様による、様々なタイプのネットワークを選択するための例示的な方法を示す図。
【図６】[0018]本明細書で説明する態様による、多元接続ワイヤレス通信システムを示す図。
【図７】[0019]通信システムのブロック図。
【発明を実施するための形態】
【００１４】
[0020]次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００１５】
[0021]本明細書では、モバイルネットワーク事業者（ＭＮＯ）ネットワーク、無認可周波数スペクトル中でセルラー無線アクセス技術（ＲＡＴ）を使用して動作するネットワーク、および／またはワイヤレスローカルエリアネットワーク（ＷＬＡＮ）間でのネットワーク選択を与えることに関係する様々な態様について説明する。１つの特定の展開では、ネットワークは、関係するＭＮＯのＲＡＴを使用するユーザ機器（ＵＥ）からの通信がＭＮＯにアクセスすることを可能にすることができ、ＭＮＯネットワークへのバックエンドアクセスを与えるために既存のローカルエリアネットワーク（ＬＡＮ）の構成要素を利用することができる。これらの様々なタイプのネットワーク間での選択は、１つまたは複数のユーザ選好、事業者ポリシー、ターゲットネットワークのタイプ、現在使用されているネットワークのタイプなどに基づいて、自動選択または手動選択によって行われ得る。さらに、そのようなネットワークにアクセスするためのブラックリスティングが定義され得、ここで、ネットワークはあいまいな識別子を使用し得る。
【００１６】
[0022]特定の例では、ＭＮＯネットワークは、ネットワークアクセスを与えるためにＵＥと通信することを可能にするために、ロングタームエボリューション（ＬＴＥ）または同様のＲＡＴを利用することができる。本明細書で説明するように、ＬＴＥはまた、ＬＴＥアドバンスト（ＬＴＥ−Ａ）を指すことがある。その上、ＬＴＥは、ＬＴＥのための本明細書で説明する態様が、実質的にどんなワイヤレスワイドエリアネットワーク（ＷＷＡＮ）／セルラーネットワークにも適用可能であり得るような、ＷＷＡＮまたはセルラーネットワークの一例を表し得る。この点について、ワイヤレスネットワークカバレージを拡張するために無認可スペクトルを介したＬＴＥ（ＬＴＥ−Ｕ：LTE over unlicensed spectrum）も展開され得る。無認可スペクトルを介したＬＴＥは、競合ベース無線周波数帯域またはスペクトルを含み得る、無認可周波数帯域中でＬＴＥを使用して動作するネットワークを指すことがある。
【００１７】
[0023]例示的な展開では、ＬＴＥ−Ｕ  ｅＮＢが、ＬＴＥを使用する無線アクセスネットワーク（ＲＡＮ）中で通信し、（たとえば、ＭＮＯまたはそれ以外にアクセスするための）既存のサービスプロバイダワイヤレスＬＡＮ（ＷＬＡＮ）中でネットワークアクセスを与える。これは、ＬＴＥ−Ｕ−ＷＬＡＮ（ＬＴＥ−Ｕ−Ｗ）と呼ばれる。別の展開では、ＬＴＥ−Ｕ  ｅＮＢが、（たとえば、ＭＮＯまたはそれ以外と通信するための）ネットワークアクセスを与えるために、モバイルネットワークのバックエンド構成要素を含むＭＮＯによって制御される環境において通信する。これは、ＬＴＥ−Ｕ−ＭＮＯ（ＬＴＥ−Ｕ−Ｍ）と呼ばれる。また別の例では、ＬＴＥ−Ｕ  ｅＮＢは、ＭＮＯネットワークからＬＴＥ−Ｕ−ＭにＵＥトラフィックをオフロードすることを可能にし、それは、ＬＴＥ−Ｕ−オフロード（ＬＴＥ−Ｕ−Ｏ）ネットワークと呼ばれる。ネットワークアクセスのためにＬＴＥ、ＬＴＥ−Ｕ−Ｍ、ＬＴＥ−Ｕ−Ｗ、ＬＴＥ−Ｕ−Ｏ、および／またはＷＬＡＮネットワーク間で選択することの様々な態様について、本明細書で説明する。
【００１８】
[0024]本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に局所化され、および／または２つ以上のコンピュータ間に分散され得る。さらに、これらの構成要素は、様々なデータ構造を記憶している様々なコンピュータ可読媒体から実行することができる。これらの構成要素は、ローカルシステム、分散システム中の、および／または他のシステムを用いるインターネットなどのネットワーク上の別の構成要素と信号を介して対話する１つの構成要素からのデータなど、１つまたは複数のデータパケットを有する信号によるなど、ローカルプロセスおよび／またはリモートプロセスを介して通信することができる。
【００１９】
[0025]さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、ユーザ機器、またはユーザ機器デバイスと呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、アクセスノード、ノードＢ、発展型ノードＢ（ｅＮＢ）、または何らかの他の用語で呼ばれることもある。
【００２０】
[0026]さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とで使用する冠詞「ａ」と「ａｎ」は、別段に規定されていない限り、または単数形を対象とすべきであると文脈から明らかでない限り、概して、「１つまたは複数」を意味すると解釈されるべきである。
【００２１】
[0027]本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムのために使用され得る。「システム」および「ネットワーク」という用語は、しばしば互換的に使用される。ＣＤＭＡシステムは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ（登録商標）：Global System for Mobile Communications）などの無線技術を実装し得る。ＯＦＤＭＡシステムは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ：3rd Generation Partnership Project）と称する団体からの文書に記載されている。さらに、ｃｄｍａ２０００およびＵＭＢは、「第３世代パートナーシッププロジェクト２」（３ＧＰＰ２：3rd Generation Partnership Project 2）と称する団体からの文書に記載されている。さらに、そのようなワイヤレス通信システムは、不対無認可スペクトル、８０２．ｘｘワイヤレスＬＡＮ（ＷＬＡＮ）、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２２】
[0028]いくつかのデバイス、構成要素、モジュールなどを含むことができるシステムに関して、様々な態様または特徴を提示する。様々なシステムは、追加のデバイス、構成要素、モジュールなどを含むことができ、および／または各図に関連して論じるデバイス、構成要素、モジュールなどのすべてを含むとは限らないことを理解および諒解されたい。これらの手法の組合せも使用され得る。
【００２３】
[0029]図１を参照すると、ネットワークサービスへのワイヤレスアクセスを与えることを可能にするワイヤレス通信システム１００が示されている。システム１００は、（たとえば、１つまたは複数の他のコロケートされる、または遠隔に位置するネットワークノードを介して）バックエンドサービスプロバイダネットワーク１０４へのアクセスを与えるために、１つまたは複数のＵＥからのワイヤレス通信を受信するためのセルを与えることができる、ＷＷＡＮホットスポット１０２を含む。この例では、ＷＷＡＮホットスポット１０２中に示された構成要素は、一般に、ＬＴＥ、ＧＳＭなどのワイヤレス通信サービスを使用して特定のＭＮＯへのアクセスを与えるために通信し得る。この例では、ＷＷＡＮホットスポット１０２は、バックエンドサービスプロバイダネットワーク１０４へのアクセスを与えるために、ＬＴＥ、ＧＳＭなど、無認可周波数帯域中のセルラーＲＡＴを使用するセルを与えることができる。したがって、たとえば、ＵＥ１０６は、セルラーＲＡＴを使用して、ホットスポット１０２中に含まれ得るサービングゲートウェイ（ＳＧＷ）／パケットデータネットワーク（ＰＤＮ）ゲートウェイ（ＰＧＷ）１１０および／またはモビリティ管理エンティティ（ＭＭＥ）１１２にアクセスするために、ｅＮＢ１０８と通信する。ＵＥ１０６は、本明細書で説明する１つまたは複数のＵＥを含むことができ、したがって、（たとえば、ＷＷＡＮホットスポット１０２、ＷｉＦｉホットスポット１５０などによって）アクセスが広告される１つまたは複数のネットワークを発見するためのネットワーク発見構成要素３１０、１つまたは複数のポリシーに少なくとも部分的に基づいてネットワークのうちの１つまたは複数と通信するためのネットワーク接続構成要素３１２、および／または少なくとも時間期間の間、認証が失敗するネットワークにアクセスするための後続の試みを防ぐために、ブラックリストにそのネットワークを追加するためのネットワークブラックリスティング構成要素３１４を含み得る。
【００２４】
[0030]ＵＥ１０６は、限定はしないが、スマートフォン、セルラー電話、モバイルフォン、ラップトップコンピュータ、タブレットコンピュータ、または別のデバイス（たとえば、コンピュータに接続されたモデム）にテザリングされる、スタンドアロンデバイスであり得る他のポータブルネットワーク化デバイスなど、任意のタイプのモバイルデバイスを含むことができる。さらに、ＵＥ１０６は、当業者によって、移動局、加入者局、モバイルユニット、加入者ユニット、ワイヤレスユニット、リモートユニット、モバイルデバイス、モバイル通信デバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の好適な用語で呼ばれることもある。概して、ＵＥ１０６は、ポータブルであると見なされるのに十分に小型で軽量であり得、本明細書で説明する１つまたは複数のＯＴＡ通信プロトコルを使用してオーバージエア通信リンクを介してワイヤレス通信するように構成され得る。さらに、いくつかの例では、ＵＥ１０６は、複数の別個のサブスクリプション、複数の無線リンクなどを介して複数の別個のネットワーク上での通信を可能にするように構成され得る。
【００２５】
[0031]ｅＮＢ１０８は、マクロセルアクセスポイント、スモールセルアクセスポイントなどのアクセスポイントを含み得る。本明細書で使用する「スモールセル」という用語は、アクセスポイントまたはアクセスポイントの対応するカバレージエリアを指すことがあり、ここで、この場合のアクセスポイントは、たとえば、マクロネットワークアクセスポイントまたはマクロセルの送信電力あるいはカバレージエリアと比較して、比較的低い送信電力あるいは比較的小さいカバレージを有する。たとえば、マクロセルは、限定はしないが、半径数キロメートルなど、比較的大きい地理的エリアをカバーし得る。対照的に、スモールセルは、限定はしないが、自宅、建築物、または建築物のフロアなど、比較的小さい地理的エリアをカバーし得る。したがって、スモールセルは、限定はしないが、ＢＳ、アクセスポイント、フェムトノード、フェムトセル、ピコノード、マイクロノード、ノードＢ、ｅＮＢ、ホームノードＢ（ＨＮＢ：home Node B）またはホーム発展型ノードＢ（ＨｅＮＢ：home evolved Node B）など、装置を含み得る。したがって、本明細書で使用する「スモールセル」という用語は、マクロセルと比較して比較的低い送信電力および／または比較的小さいカバレージエリアセルを指す。
【００２６】
[0032]一般的なＬＴＥ展開では、たとえば、ＭＭＥ１１２は、ＵＥ１０６に、ベアラセットアッププロシージャ、ＳＧＷ／ＰＧＷ１１０および他のコアＭＮＯネットワーク構成要素（たとえば、ＨＳＳ）へのアクセスなどを与え、ＳＧＷ／ＰＧＷ１１０は、ＵＥ１０６に、インターネット接続および／または他の外部ノードへのアクセスを与える。しかしながら、図示された例では、ＳＧＷ／ＰＧＷ１１０およびＭＭＥ１１２は、ＵＥ１０６に、サービスプロバイダ（ＳＰ）データネットワーク１２０へのアクセスを与える。ＳＰデータネットワーク１２０は、ＷｉＦｉホットスポット１５０のためのネットワークアクセスを与えることに関することができ、また、この例では、（たとえば、認証、課金、または他の目的のためにＵＥ１０６のホームネットワークにアクセスするために、ならびに／あるいはワイヤレスネットワークサービスを与えるための他のネットワークノードにアクセスするために）ＵＥ１０６にさらにインターネット１２４へのアクセスを与えるために、ＷＷＡＮホットスポット１０２によって利用され得る。この構成は、ＬＴＥ−Ｕ−Ｗ展開と呼ばれることがある。
【００２７】
[0033]この点について、ＭＭＥ１１２は、ＳＰデータネットワーク１２０を介してサービスプロバイダネットワーク１０４の構成要素にアクセスするためにＵＥ１０６がｅＮＢ１０８を介して通信するために、ベアラをセットアップすることができることを諒解されたい。これは、ＵＥ１０６とｅＮＢ１０８との間の無線ベアラならびにｅＮＢ１０８およびＳＧＷ／ＰＧＷ１１０および／またはネットワーク１０４の追加の構成要素の間のデータベアラをセットアップすることを含むことができる。さらに、ネットワーク１０４中のいくつかの要素と通信するためのユーザおよび制御プレーン通信が機能しなくなることがある。その上、たとえば、セキュリティは、本明細書でさらに説明するように、ＵＥ１０６とＭＭＥ１１２との間の非アクセス層（ＮＡＳ：non-access stratum）レイヤにわたって、拡張認証プロトコル（ＥＡＰ）または同様のセキュリティ機構を使用するように変更され得る。
【００２８】
[0034]ネットワーク１０４は、ネットワーク１０４にアクセスするためのＵＥ１０６の証明書を確立し、検証するためのＡＡＡサーバ１２２をさらに含む。ＳＰデータネットワーク１２０はまた、インターネット１２４へのアクセスを与えることができる。場合によっては、証明書のセットのための１つまたは複数のアクセスポリシーを定義することができるポリシーサーバ１２６、サブスクリプションエラーおよび／またはタイムアウトを解決することができるサブスクリプション改善サーバ（subscription remediation server）１２８、ならびに／あるいはネットワーク１０４にアクセスするためのサブスクリプション証明書を管理するためのオンラインサインアップ（ＯＳＵ）サーバ１３０など、追加のサーバが同様にネットワーク１０４に含まれ得る。ＯＳＵサーバ１３０は、ネットワーク１０４へのサブスクリプションベースのアクセスを管理するための１つまたは複数の証明書を取得するために、認証局１３２と通信することができる。一例では、ネットワーク１０４はまた、それへのＷｉＦｉまたは他のワイヤレスアクセスを可能にするためにルータ（図示せず）を含むことができる。
【００２９】
[0035]一例では、ｅＮＢ１０８は、利用可能なサービスを示す１つまたは複数のメッセージをブロードキャストすることによって、ＵＥ１０６によって発見可能であるＬＴＥ−Ｕ−Ｗネットワークサービスを広告することができる。ＵＥ１０６は、本明細書でさらに説明するように、ｅＮＢ１０８からのブロードキャストメッセージを検出することができ、１つまたは複数のポリシーを使用して（たとえば、ブロードキャストメッセージ中の情報に基づいて）ｅＮＢ１０８との接続を確立すべきかどうかを決定することができる。これは、（たとえば、サービスセット識別情報（ＳＳＩＤ：service set identification）などのネットワーク識別子を広告することによって）ＷｉＦｉホットスポット１５０の存在を広告するために、そのホットスポットの構成要素によって使用される機構と同様であり得る。したがって、ＬＴＥ−Ｕ−Ｗ展開では、サービスプロバイダは、プロビジョニング、アカウンティング、ポリシー、認証などのために、ＷｉＦｉホットスポット１５０のために使用されるものと同じであるコアネットワーク要素をＷＷＡＮホットスポット１０２のために使用することができ、したがって、ＵＥ１０６は、いくつかの例では、証明書がサービスプロバイダおよび／または関係するネットワーク１０４に関することができるので、ＷＷＡＮホットスポット１０２またはＷｉＦｉホットスポット１５０にアクセスするために同じ証明書を使用することができる。さらに、いくつかの例では、ＵＥ１０６の汎用加入者識別モジュール（ＵＳＩＭ：universal subscriber identity module）は、（たとえば、ホットスポット１０２がインターネット１２４を介してＭＮＯ構成要素にアクセスすることができる、および／またはＷＷＡＮホットスポット１０２が場合によってはＬＴＥ−Ｕ−Ｍアクセスを与える）ＷＷＡＮホットスポット１０２にアクセスするための証明書を与えるために使用され得る。さらに、ＷＷＡＮホットスポット１０２とＷｉＦｉホットスポット１５０の両方のために、オンラインサインアップがＯＳＵサーバ１３０を介して可能であり得ることを諒解されたい。
【００３０】
[0036]図２を参照すると、ネットワークサービスへのワイヤレスアクセスを与えることを可能にするワイヤレス通信システム２００が示されている。システム２００は、ＬＴＥネットワークからのトラフィックをオフロードする（ＬＴＥ−Ｕ−Ｏ）ために使用され得る、ＭＮＯのためのＬＴＥ−Ｕ（ＬＴＥ−Ｕ−Ｍ）を与える無線アクセスネットワーク（ＲＡＮ）２０２を含み、ここで、ＲＡＮ２０２は、いくつかのＵＥのための証明書を管理するホームＰＬＭＮ（ＨＰＬＭＮ：home ＰＬＭＮ）発展型パケットコア（ＥＰＣ：evolved packet core）２０６へのアクセスを可能にするために、訪問先パブリックランドモバイルネットワーク（ＰＬＭＮ：public land mobile network）ＥＰＣ２０４と通信する。ＶＰＬＭＮ  ＥＰＣ２０４はまた、認証されたＵＥにインターネット１２４へのアクセスを与える。ＲＡＮ２０２は、訪問先ＰＬＭＮ（ＶＰＬＭＮ：visiting PLMN）ＥＰＣ２０４の構成要素および／またはインターネット１２４と通信することを可能にするｅＮＢ１０８およびローカルゲートウェイ（ＬＧＷ）２１０を備える。ＶＰＬＭＮ  ＥＰＣ２０４は、この例では、ＵＥ１０６のためのＨＰＬＭＮではないので、訪問先ＰＬＭＮと呼ばれる。ＶＰＬＭＮ  ＥＰＣ２０４は、（別個のデバイスとして示された）ＳＧＷ／ＰＧＷ１１０とＭＭＥ１１２とを備える。ＨＰＬＭＮ  ＥＰＣ２０６は、ＡＡＡサーバ２１２がＵＥ１０６のためのＨＰＬＭＮ  ＥＰＣのＡＡＡ機能を管理するので、ネットワーク１０４のＡＡＡサーバ１２２（図１）とは異なり得るＡＡＡサーバ２１２と、いくつかのＵＥのサブスクリプション情報を記憶するためのＨＳＳ２１４とを含む。
【００３１】
[0037]この例では、ＶＰＬＭＮ  ＥＰＣ２０４およびＨＰＬＭＮ  ＥＰＣ２０６は、ＶＰＬＭＮ  ＥＰＣ２０４がＵＥ１０６のサブスクリプション情報をＨＰＬＭＮ  ＥＰＣ２０６を用いて検証したことに基づいて、ＨＰＬＭＮ  ＥＰＣ２０６のＨＳＳ２１４に関係するＵＥに、インターネット１２４または他のネットワークリソースへのアクセスを与えるための一般的なモバイルネットワークとして機能することができる。ＲＡＮ２０２は、（たとえば、ＬＧＷ２１０を使用して）インターネット１２４を介してＶＰＬＭＮ  ＥＰＣ２０４に接続するサードパーティにおいて展開され得る。この例では、ｅＮＢ１０８は、ＵＥ１０６と通信するために、図１中のｅＮＢ１０８の場合と同様に、無認可周波数スペクトル中で動作し、ＵＥ１０６に、ＲＡＮ２０２が接続するＶＰＬＭＮ  ＥＰＣ２０４、および／またはＵＥ１０６に関係するＨＰＬＭＮ  ＥＰＣ２０６を渡ることによってインターネット１２４へのアクセスを与える。したがって、たとえば、ＵＥ１０６は、ＲＡＮ２０２にアクセスするために汎用加入者識別モジュール（ＵＳＩＭ）証明書を使用することができ、そこでは、ＲＡＮ２０２は、ＨＰＬＭＮ  ＥＰＣ２０６にアクセスすることによって証明書を検証する。この点について、ＵＥ１０６は、ＲＡＮ２０２にオフロードすることによってインターネット１２４を利用することができ、そこでは、ＲＡＮ２０２は、ＨＰＬＭＮ  ＥＰＣ２０６を介してＵＥ１０６を認証することが可能である。
【００３２】
[0038]次に図３〜図５を参照すると、態様は、本明細書で説明するアクションまたは機能を実行し得る１つまたは複数の構成要素および１つまたは複数の方法に関して示される。図４〜図５において以下で説明する動作は、特定の順序でおよび／または例示的な構成要素によって実行されるものとして提示されるが、アクションの順序およびアクションを実行する構成要素は、実装形態に応じて変更され得ることを理解されたい。その上、以下のアクション、機能、および／または説明する構成要素は、特別にプログラムされたプロセッサ、特別にプログラムされたソフトウェアまたはコンピュータ可読媒体を実行するプロセッサによって、あるいは説明するアクションまたは機能を実行することが可能なハードウェア構成要素および／またはソフトウェア構成要素の任意の他の組合せによって実行され得ることを理解されたい。
【００３３】
[0039]図３は、１つまたは複数のユーザ定義ポリシーまたは事業者定義ポリシーに少なくとも部分的に基づいてアクセスするための、複数のタイプのワイヤレスネットワークから選択するためのシステム３００を示している。システム３００は、ワイヤレスネットワークにアクセスするためにネットワークエンティティ３０２および／またはネットワークエンティティ３０４と通信するＵＥ１０６を含む。ネットワークエンティティ３０２／３０４は、たとえば、ｅＮＢ１０８などのｅＮＢ、あるいは１つまたは複数の利用可能なネットワークに関する情報をＵＥ１０６に通信することができるＷＷＡＮホットスポット１０２またはＷｉＦｉホットスポット１５０の他の構成要素を含み得る。
【００３４】
[0040]ＵＥ１０６は、可能な選択のための１つまたは複数のネットワークがＬＴＥネットワーク、ＬＴＥ−Ｕ−Ｗネットワーク、ＬＴＥ−Ｕ−Ｍネットワーク、ＬＴＥ−Ｕ−Ｏネットワークなどを含み得る、１つまたは複数のネットワークを発見するためのネットワーク発見構成要素３１０、１つまたは複数のユーザ定義ポリシーまたは事業者定義ポリシー、１つまたは複数のネットワークのタイプ、現在のサービングネットワークのタイプなどに少なくとも部分的に基づいて、場合によっては、１つまたは複数のネットワークのうちの少なくとも１つに接続するためのネットワーク接続構成要素３１２、ならびに／あるいは１つまたは複数のネットワークへの認証が失敗した場合、ネットワークのブラックリストにその１つまたは複数のネットワークを追加するための随意のネットワークブラックリスティング構成要素３１４を含み得る。
【００３５】
[0041]ネットワーク接続構成要素３１２は、場合によっては、１つまたは複数のユーザ定義ポリシーまたは事業者定義ポリシーに少なくとも部分的に基づいて、アクセスのためのネットワークを選択するための自動選択構成要素３２０、アクセスのためのネットワークの手動選択を可能にするための手動選択構成要素３２２、１つまたは複数のネットワーク（たとえば、またはネットワークのタイプ、いくつかのサービスプロバイダなど）にアクセスすることに関係する１つまたは複数のユーザ定義ポリシーを定義および管理するためのユーザ定義ポリシー構成要素３２４、１つまたは複数のネットワークにアクセスするための（たとえば、ＵＥ１０６に関係するＭＮＯによって定義される）１つまたは複数の事業者定義ポリシーを定義および管理するための事業者定義ポリシー構成要素３２６、１つまたは複数の発見されたネットワークに関係するサービスプロバイダを識別するためのサービスプロバイダ識別構成要素３２８、ならびに／あるいは１つまたは複数の発見されたネットワークにアクセスするための証明書を記憶および与えるための証明書提供構成要素３３０を含み得る。
【００３６】
[0042]図４は、ネットワークに関する受信された情報に基づいて、アクセスすべきネットワークを選択するための例示的な方法４００を示している。図４の方法４００は、ブロック４０２において、無認可周波数帯域中でセルラーＲＡＴを介してサービスプロバイダネットワークへのアクセスを広告するネットワークを発見することを含む。ネットワーク発見構成要素３１０は、無認可周波数帯域中でセルラーＲＡＴを介してサービスプロバイダネットワークへのアクセスを広告するネットワークを発見することができる。一例では、ＵＥ１０６は、ワイヤレスネットワークアクセスを受信するためにネットワークエンティティ３０２と通信することができ、ネットワーク発見構成要素３１０は、ネットワークエンティティ３０４を発見することができる。たとえば、ネットワークエンティティ３０４は、（たとえば、無認可周波数帯域を介してセルラーＲＡＴを使用して）この点について発見を可能にするために、信号をブロードキャストすることができる。したがって、ネットワーク発見構成要素３１０は、１つまたは複数の期間（たとえば、ネットワークエンティティ３０２によって構成された、またはさもなければそれとネゴシエートされた測定期間など）中に、無認可周波数帯域中で信号を受信するように構成され得る。ネットワーク接続構成要素３１２は、本明細書でさらに説明するように、ネットワークアクセスを受信するためにネットワークエンティティ３０４に追加または代替として接続すべきかどうかを決定することができる。説明したように、ネットワークエンティティ３０２および３０４は、同様のＲＡＴを使用するネットワークに関することができるが、異なる周波数スペクトル、異なるＲＡＴを使用するネットワーク、同じサービスプロバイダネットワークを活用するネットワークなどにおいて通信し得る。一例では、ネットワークまたは関係するネットワークエンティティ３０２／３０４は、ＷｉＦｉ、認可周波数スペクトル中のＬＴＥ、ネットワークアクセスサービスを広告し与えるために無認可周波数スペクトル中のＬＴＥ  ＲＡＴなど、を利用することができる。本明細書でさらに説明するように、ネットワーク発見構成要素３１０は、ネットワークおよび／または様々なスペクトル中で様々なＲＡＴを利用する他のネットワークを発見することができる。
【００３７】
[0043]方法４００は、ブロック４０４において、ネットワークに関係する１つまたは複数のユーザ定義ポリシーまたは事業者定義ポリシーを決定することを含む。ネットワーク接続構成要素３１２は、ネットワークに関係する（たとえば、ユーザ定義ポリシー構成要素３２４を介して）１つまたは複数のユーザ定義ポリシーまたは（たとえば、事業者定義ポリシー構成要素３２６を介して）事業者定義ポリシーを決定することができる。たとえば、ユーザ定義ポリシー構成要素３２４は、ＵＥ１０６のユーザによって定義される１つまたは複数のポリシーを定義することおよび／またはさもなければそれを記憶することを可能にすることができる。たとえば、ＵＥ１０６は、ユーザがＵＥ１０６の入出力デバイス（たとえば、タッチスクリーン、キーボード、マウス、ディスプレイなど）を介してポリシーを定義することを可能にするためのインターフェース、ユーザがポリシーのための１つまたは複数のリモートまたはローカル記憶ロケーションを指定することを可能にするためのインターフェース、ユーザがＵＥ１０６にポリシーをダウンロードすることを可能にするためのインターフェースなどを含み得る。たとえば、ユーザ定義ポリシーは、発見時に選択するために、１つまたは複数のネットワーク、ネットワークタイプ、いくつかのプロバイダによって運営されるネットワークなどを指定することがあり、ここで、その選択は、ルールのセット（たとえば、他のものよりいくつかのネットワークまたはネットワークタイプを選好するためのルール、ネットワークに証明書を与えることに関係するルールなど）に基づき得る。さらに、ポリシーは、いくつかのネットワーク、ネットワークのタイプ、いくつかの事業者／サービスプロバイダに関係するネットワークへの同時接続が、別のネットワーク、ネットワークのタイプ、ある事業者／サービスプロバイダに関係するネットワークに接続されたとき、（たとえば、オフロードするために）可能にされるかどうか、ハンドオーバおよび／または再選択が、ネットワーク、ネットワークのタイプ、事業者／サービスプロバイダのネットワークなどの間で可能にされるかどうかなど、いくつかのネットワーク、ネットワークのタイプ、いくつかの事業者／サービスプロバイダに関係するネットワークなどを選択するためのいくつかのパラメータを指定し得る。別の例では、ポリシーは、いくつかのネットワーク、ネットワークのタイプ、ある事業者／サービスプロバイダに関係するネットワークなどへの接続を可能にするために、時刻を指定し得る。その上、一例では、ユーザ定義ポリシーは、本明細書でさらに説明するように、ＵＥ１０６がそれのための証明書を記憶しているネットワークに接続するためのパラメータを含み得る。
【００３８】
[0044]同様に、事業者定義ポリシー構成要素３２６は、ネットワークから（たとえば、ネットワークエンティティ３０２から、ＵＥ１０６のサブスクリプション関係情報を含み得る１つまたは複数のコアネットワーク構成要素からネットワークエンティティ３０２を介してなど）プロビジョニングされ得る、事業者定義ポリシーを受信することを可能にすることができる。別の例では、事業者定義ポリシー構成要素３２６は、ＵＥ１０６（たとえば、ＵＥ１０６のＵＳＩＭまたは他のストレージ）などに記憶されたポリシーを受信することを可能にすることができる。たとえば、事業者定義ポリシーは、上記で説明したように、いくつかのネットワーク、ネットワークタイプ、いくつかの事業者／サービスプロバイダによって運営されるネットワークなどに接続することに関係する１つまたは複数のパラメータを定義し得る。たとえば、事業者定義ポリシーは、別のネットワーク、ネットワークのタイプ、同じまたは異なる事業者／サービスプロバイダに関係するネットワークなどへの同時接続として、あるいはそれらにハンドオーバすることにおいて、ネットワーク、ネットワークのタイプ、ある事業者／サービスプロバイダに関係するネットワークなどに接続することに関係するパラメータを定義し得る。
【００３９】
[0045]一例では、ブロック４０４において１つまたは複数のユーザ定義ポリシーまたは事業者定義ポリシーを決定することは、場合によっては、ブロック４０６において、ネットワークのタイプまたはサービスプロバイダネットワークに関係するサービスプロバイダに関係する、１つまたは複数のユーザ定義ポリシーまたは事業者定義ポリシーを決定することを含み得る。したがって、たとえば、１つまたは複数のユーザ定義ポリシーまたは事業者定義ポリシーは、ネットワーク発見構成要素３１０によって発見された、ネットワークのタイプの、またはネットワークのサービスプロバイダに関係する、ネットワークを選択することに対応することができ、ユーザ定義ポリシー構成要素３２４および／または事業者定義ポリシー構成要素３２６は、（たとえば、現在のサービングネットワークのタイプ、時刻、ネットワークについて証明書が記憶されているかどうかなどにさらに基づいて）ネットワークを選択すべきかどうかを決定する際に、１つまたは複数のポリシーを取得し、実施することができる。
【００４０】
[0046]いずれの場合も、ネットワーク接続構成要素３１２は、アクセスのために選択すべきネットワークを決定する際に、ユーザ定義ポリシー構成要素３２４および／または事業者定義ポリシー構成要素３２６において定義されたポリシーを実施することができる。したがって、方法４００は、４０８において、１つまたは複数のユーザ定義ポリシーまたは事業者定義ポリシーに少なくとも部分的に基づいて、アクセスのためのネットワークを選択することを含む。したがって、ネットワーク発見構成要素３１０がネットワークエンティティ３０４を発見したとき、ネットワーク接続構成要素３１２は、上記で説明したように、ネットワークエンティティ３０４を選択することが、ユーザ定義ポリシー構成要素３２４または事業者定義ポリシー構成要素３２６において定義された１つまたは複数のユーザ定義ポリシーまたは事業者定義ポリシーに従うことを保証することに基づいて、（ネットワークエンティティ３０２に加えて、またはそれの代わりに）アクセスのためのネットワークエンティティ３０４を選択すべきかどうかを決定することができ、ネットワーク接続構成要素３１２は、したがって、１つまたは複数のユーザ定義ポリシーまたは事業者定義ポリシーに少なくとも部分的に基づいてアクセスのためのネットワークを選択することができる。ブロック４０８においてアクセスのためのネットワークを選択することは、場合によっては、ブロック４１０において、ネットワークのタイプまたはサービングネットワークのタイプに少なくとも部分的に基づいてネットワークを選択することを含むことができる。たとえば、説明したように、１つまたは複数のポリシーは、ネットワークの選択が、ネットワークのタイプおよび／またはＵＥ１０６を現在サービスしているネットワークのタイプに基づいて許可されるかどうかを指定することができる。特定の例では、ネットワーク接続構成要素３１２は、ハンドオーバ／再選択のためのネットワークを選択し得、ここで、ネットワークはサービングネットワークと同じまたは同様のタイプのものである（たとえば、ここで、ネットワークエンティティ３０２と３０４の両方がネットワークのＬＴＥ−Ｕ−Ｗタイプに関連し、自動選択構成要素３２０がハンドオーバ／再選択のためのネットワークを選択し得る、ここで、同時接続がＵＥ１０６では可能にされないが、発見されたネットワークがより好ましい発展型パケットコア（ＥＰＣ）接続性を有していると決定される、など）。別の例では、ネットワーク接続構成要素３１２は、サービスネットワークからトラフィックをオフロードするためのネットワークを選択し得る（たとえば、ここで、１つまたは複数のポリシーが、サービングネットワークまたはサービングネットワークのタイプと、発見されたネットワークまたはネットワークのタイプとへの同時接続を可能にする）。
【００４１】
[0047]その上、ブロック４０８においてネットワークを選択することは、ネットワークに認証を要求することと、ハンドオーバ／再選択においてまたはオフロード能力においてその後ネットワークと通信することとを含み得る。本明細書で説明するように、認証を要求することは、ネットワークの決定されたサービスプロバイダおよび／または同種のもののための前に記憶された証明書に関係する、モバイルネットワークにアクセスするために使用されるＵＥ１０６の汎用加入者モバイル識別（ＵＳＩＭ）からのものであり得る、記憶された証明書をネットワークに与えることに基づき得る。ネットワーク接続構成要素３１２は、別のネットワークからハンドオーバすること（たとえば、異なるＲＡＴ間のハンドオーバ／再選択であり得る、ネットワークエンティティ３０２からネットワークエンティティ３０４へのハンドオーバ／再選択）の一部として、ＵＥ１０６におけるスループットを改善し、および／またはネットワークエンティティ３０２におけるリソースを温存するために、サービングネットワークから別のネットワークに（たとえば、ネットワークエンティティ３０２からネットワークエンティティ３０４に）トラフィックをオフロードすることの一部としてなど、ネットワークを選択するおよび／またはネットワークに接続し得ることを諒解されたい。
【００４２】
[0048]ネットワークエンティティ３０４を選択することは、自動または手動であり得、したがって、ネットワーク接続構成要素３１２は、自動選択構成要素３２０および／または手動選択構成要素３２２を含むことができる。自動選択構成要素３２０は、１つまたは複数のユーザ定義ポリシーまたは事業者定義ポリシーに基づいて、発見されたネットワークエンティティを評価することができ、（たとえば、ハンドオーバ／再選択、通信をオフロードすること、またはサービングセルとの他のインターワーキング／モビリティのために）ネットワークエンティティを自動的に選択することができ、ここで、そうすることは、１つまたは複数のポリシーに準拠する。手動選択構成要素３２２は、ネットワークエンティティの手動発見および選択を可能にすることができる。たとえば、手動選択構成要素３２２は、ＵＥ１０６のインターフェース上に、発見されたネットワークエンティティのリストを与えることができ、（たとえば、ハンドオーバ／再選択、通信をオフロードすることまたはサービングセルとの他のインターワーキング／モビリティのための）ネットワークエンティティの選択を可能にすることができる。手動選択構成要素３２２がまた、インターフェース上に提示されたネットワークエンティティおよび／またはインターフェースを介して選択されたネットワークエンティティが１つまたは複数のユーザ定義ポリシーまたは事業者定義ポリシーに準拠することを検証することができることを諒解されたい。
【００４３】
[0049]方法４００は、場合によっては、ブロック４１２において、ネットワークを選択することにおける認証の失敗を検出することに少なくとも部分的に基づいて、ブラックリストにネットワークを追加することを含み得る。ネットワークブラックリスティング構成要素３１４は、ネットワーク接続構成要素３１２によってネットワークを選択することにおける認証の失敗を検出することに少なくとも部分的に基づいて、ＵＥ１０６によって記憶される、またはさもなければそれに関連付けられ得るブラックリストにネットワークを追加することができる。たとえば、証明書提供構成要素３３０は、１つまたは複数のネットワーク、ネットワークのタイプ、特定のサービスプロバイダによって運営されるネットワークなどにアクセスするための証明書のリストを記憶し得る。これは、説明したように、ＭＮＯによって構成されていることがあるＵＥ１０６のＵＳＩＭに記憶された証明書、１つまたは複数のネットワークから受信された証明書、特定のネットワーク、ネットワークタイプ、またはサービスプロバイダのために（たとえば、ＵＥ１０６のインターフェースを使用して）入力された証明書などを含むことができる。ネットワーク接続構成要素３１２は、ネットワークエンティティ３０４によって与えられるネットワークに関係することができる、（たとえば、自動選択構成要素３２０によってまたは手動選択構成要素３２２を介して選択される）ネットワークに接続するための証明書を利用することができる。ネットワークエンティティ３０４が（たとえば、１つまたは複数の試みの後に）失敗した認証によりＵＥ１０６からの選択要求を拒否する場合、ネットワークブラックリスティング構成要素３１４は、ブラックリストにネットワークおよび／またはサービスプロバイダの識別子を追加することができる。
【００４４】
[0050]したがって、自動選択構成要素３２０は、ネットワークがブラックリスト中にないことを保証するために、そのネットワークに選択すると決定したとき、ブラックリストを取得することができる（たとえば、場合によっては、自動選択構成要素３２０は、ネットワークを選択しないことがある）。同様に、一例では、手動選択構成要素３２２は、１つまたは複数のネットワークがブラックリスト中にないことを保証するために、その１つまたは複数のネットワークのリストを提示すると決定したとき、ブラックリストを取得することができる（たとえば、場合によっては、手動選択構成要素３２２は、手動ネットワーク選択のためにインターフェース上に提示するためのリスト中にそのネットワークを含めることを控えることができる）。ネットワークブラックリスティング構成要素３１４が、同様に、他の理由（たとえば、品質、スループットなどが平均しきい値を下回る場合など）のために、ブラックリストに、１つまたは複数のネットワーク、ネットワークタイプ、サービスプロバイダ識別子などを追加し得ることを諒解されたい。その上、ＷＷＡＮホットスポットの管理されない展開により、複数のネットワークが同じネットワーク識別子を使用し得ることを諒解されたい。したがって、方法４００は、場合によっては、ブロック４１４において、構成された時間期間の後にブラックリストからネットワークを削除することを含み得る。ネットワークブラックリスティング構成要素３１４は、構成された時間期間の後にブラックリストからネットワークを削除することができる。これは、ＵＥ１０６が、場合によっては、時間期間の後に同様の識別子をもつ他のネットワークへのアクセスを試みることを可能にする。時間期間が、ネットワークエンティティなどから受信された、ＵＥ１０６の構成において構成され得ることを諒解されたい。
【００４５】
[0051]図５に、インターフェースを介した選択のためのネットワークのリストを与えるための例示的な方法５００を示す。方法５００は、ブロック４０２において、無認可周波数帯域中でセルラーＲＡＴを介してサービスプロバイダネットワークへのアクセスを広告するネットワークを発見することを含み得る。ネットワーク発見構成要素３１０は、説明したように、無認可周波数帯域中でセルラーＲＡＴを介してサービスプロバイダネットワークへのアクセスを広告するネットワークを発見することができる。一例では、ブロック４０２においてネットワークを発見することは、ブロック５０２において、ＷＬＡＮと、無認可周波数帯域中でセルラーＲＡＴを使用して通信するネットワークとの両方を含む複数のネットワークを探索することを含み得る。本明細書でさらに説明するように、ネットワーク発見構成要素３１０は、ＷＬＡＮと、無認可周波数帯域中でセルラーＲＡＴを使用して通信するネットワークの両方を含む複数のネットワークを探索することができる。たとえば、ネットワーク発見構成要素３１０は、ＷＬＡＮおよび／または無認可周波数帯域中で複数のネットワークに関係する１つまたは複数のネットワークエンティティ（たとえば、ネットワークエンティティ３０４）からの信号を探索することができる。一例では、説明したように、ネットワーク発見構成要素３１０は、ハンドオーバ／再選択、オフローディングなどのためのネットワークをそれを介して探索するための１つまたは複数の周波数および／または関係するＲＡＴで構成され得る。説明したように、ネットワーク発見構成要素３１０は、この点について１つまたは複数のネットワークを発見することができ、それの自動または手動選択のために、ネットワーク接続構成要素３１２にその１つまたは複数のネットワークを報告することができる。
【００４６】
[0052]方法５００はまた、場合によっては、ブロック５０４において、少なくとも１つのＷＬＡＮまたは無認可周波数帯域中でセルラーＲＡＴを使用して通信する少なくとも１つのネットワークを含む利用可能なネットワークのリストを、インターフェースを介して与えることを含み得る。手動選択構成要素３２２は、少なくとも１つのＷＬＡＮまたは無認可周波数帯域中でセルラーＲＡＴを使用して通信する少なくとも１つのネットワーク（たとえば、ＬＴＥ−Ｕ−Ｗネットワーク）を含む利用可能なネットワークのリストを、（たとえば、ＵＥ１０６の）インターフェースを介して与え得る。たとえば、手動選択構成要素３２２は、ＬＴＥ−Ｕ−ＭネットワークエンティティはＬＴＥネットワークエンティティと同様であり得ることから、ＬＴＥ−Ｕ−Ｍネットワークの選択が自動であり得るので、（ＬＴＥ−Ｕ−Ｍネットワークも、ＬＴＥ−Ｕ−Ｗ能力を広告しない限り）リスト中にＬＴＥ−Ｕ−Ｍネットワークを与えないことがある。いずれの場合も、手動選択構成要素３２２は、ネットワークのリストを与え得、ＬＴＥ−Ｕ−ＷネットワークをＷＬＡＮネットワークと区別するために１つまたは複数のアイコンまたは他のグラフィカル表現を含み得る。その上、説明したように、手動選択構成要素３２２が、説明したように、ネットワークのリストが１つまたは複数のユーザ定義ポリシーまたは事業者定義ポリシーに準拠すると決定したことに基づいてネットワークのリストを与え得ることを諒解されたい。
【００４７】
[0053]方法５００はまた、場合によっては、ブロック５０６において、無認可周波数帯域中でセルラーＲＡＴを使用して通信する少なくとも１つのネットワークについて証明書が記憶されているかどうかを、インターフェースを介して示すことを含み得る。手動選択構成要素３２２は、無認可周波数帯域中でセルラーＲＡＴを使用して通信する少なくとも１つのネットワークについて証明書が記憶されているかどうかを、（たとえば、ＵＥ１０６の）インターフェースを介して示すことができる。たとえば、手動選択構成要素３２２は、ネットワークについて証明書が記憶されていることを示す、ネットワークのリスト中のネットワークのためのアイコンまたは他のグラフィカル図を含み得る。したがって、ユーザは、たとえば、利用可能な場合、それについての証明書がすでに記憶されているネットワークを選択し得る。
【００４８】
[0054]方法５００はまた、場合によっては、ブロック５０８において、１つまたは複数のユーザ定義ポリシーまたは事業者定義ポリシーに少なくとも部分的に基づいて、アクセスのためのネットワークを選択することを含み得る。ネットワーク接続構成要素３１２は、説明したように、（たとえば、ハンドオーバ／再選択、オフローディングなどのための）ネットワークの選択が１つまたは複数のポリシーに従うことを保証するために、１つまたは複数のユーザ定義ポリシーまたは事業者定義ポリシーに少なくとも部分的に基づいてアクセスのためのネットワークを選択し得る。
【００４９】
[0055]上記で説明した１つまたは複数の例では、１つまたは複数のユーザ定義ポリシーまたは事業者定義ポリシーは、ネットワークのサービスプロバイダに基づき得る。したがって、ＵＥ１０６はまた、場合によっては、ネットワークエンティティ３０４にバックエンドサポートを与えるサービスプロバイダを決定するためのサービスプロバイダ識別構成要素３２８を含むことができる。たとえば、サービスプロバイダは、関係するネットワークエンティティ（たとえば、ネットワークエンティティ３０４）からブロードキャスト信号または他の信号中で識別子を広告し得、サービスプロバイダの識別子に関係する１つまたは複数のユーザ定義ポリシーまたは事業者定義ポリシーを決定することに少なくとも部分的に基づいて、ネットワーク接続構成要素３１２はネットワークを選択すべきかどうかを決定することができ、あるいは、手動選択構成要素３２２は手動選択のためのネットワークの識別子を提示すべきかどうかを決定することができる。その上、一例では、ＵＥ１０６は、場合によっては、説明したように、ネットワークエンティティ３０４を介してネットワークにアクセスするためにネットワークエンティティ３０４に証明書を与えるための証明書提供構成要素３３０を含み得る。一例では、証明書提供構成要素３３０は、識別されたサービスプロバイダに少なくとも部分的に基づいて証明書を与え得る。たとえば、ネットワークエンティティ３０４は、ＵＥ１０６が（たとえば、サブスクリプションまたはそれ以外によって）それに関連付けられるサービスプロバイダに対応し得、証明書提供構成要素３３０は、サービスプロバイダのための証明書を所有し得る。この例では、サービスプロバイダ識別構成要素３２８は、自動的にまたは手動で選択されたサービスプロバイダに関係するサービスプロバイダを識別することができ、証明書提供構成要素３３０は、証明書を取得し、その証明書をネットワークエンティティ３０４に与えることができる。さらに、たとえば、証明書提供構成要素３３０は、所与のネットワークエンティティ／サービスプロバイダのための証明書の手動指定およびプロビジョニング、（たとえば、ＯＳＵサーバに関係するインターフェースと対話することに基づいて）ネットワークエンティティに関係するＯＳＵサーバを介して証明書を受信することなどを可能にすることができ、証明書提供構成要素３３０は、次いで、その証明書を、証明書提供構成要素３３０がネットワーク上で認証されたＵＥ１０６のための証明書を記憶しているネットワークを選択するためのネットワーク接続構成要素３１２に与えることができる。
【００５０】
[0056]特定の例では、接続性についておよびアクセス間のモビリティについてＬＴＥ−Ｕネットワークを選択する際に、ＵＥ１０６は、以下のルールのうちの１つまたは複数を考慮して、選択を実行し得る。
【００５１】
[0057]（１）ＬＴＥとＬＴＥ−Ｕ−Ｗとの間の、およびＬＴＥとＬＴＥ−Ｕ−Ｍとの間のモビリティ（たとえば、ハンドオーバ／再選択）および／またはインターワーキング（たとえば、オフローディング）について、ネットワーク接続構成要素３１２は、共通のコアネットワークを介するＷＬＡＮアクセスのセッション継続性として使用されるＬＴＥ−Ｕ−Ｗネットワークとのシステムレベルにおけるインターワーキングおよびモビリティ（たとえば、インターネットプロトコル（ＩＰ）レベルモビリティ）を実行することができる。そのような場合、ネットワーク接続構成要素３１２は、アクセス間の、詳細にはＬＴＥ／ＬＴＥ−Ｕ−Ｍネットワーク（たとえば、またはネットワークエンティティ３０２などの関係するネットワークエンティティ）とＬＴＥ−Ｕ−Ｗネットワーク（たとえば、またはネットワークエンティティ３０４などの関係するネットワークエンティティ）との間のモビリティについて３ＧＰＰによって定義される機構（たとえばＳ２ａ、Ｓ２ｂまたは非シームレスＷＬＡＮオフロード（ＮＳＷＯ：Non Seamless WLAN Offload））を使用することができる。
【００５２】
[0058]（２）ＬＴＥとＬＴＥ−Ｕ−Ｍとの間のモビリティ／インターワーキングについて、ＬＴＥネットワークエンティティがＬＴＥとＬＴＥ−Ｕ−Ｍとの間のｅＮＢレベルにおけるモビリティを制御している場合、緊密なインターワーキングが可能であり得る。この例では、ネットワーク接続構成要素３１２は、ＬＴＥ無線機とＬＴＥ−Ｕ−Ｍ無線機の両方が同時に使用され、ＩＰデータが両方の無線機上で送信および受信され得る、無線リンク制御（ＲＬＣ：radio link control）アグリゲーションを実行する能力を含む、ＬＴＥ無線機機構に基づいて、ＬＴＥネットワーク（たとえば、またはネットワークエンティティ３０２などの関係するネットワークエンティティ）とＬＴＥ−Ｕ−Ｍネットワーク（たとえば、またはネットワークエンティティ３０４などの関係するネットワークエンティティ）との間のモビリティ／選択を実行することができる。ＬＴＥ−Ｕ−Ｍネットワークエンティティを検出したとき、ネットワーク接続構成要素３１２は、このネットワークエンティティを、ＬＴＥ無線機機構を使用する能力により（たとえば、ＬＴＥセルを与える）別の通常のＬＴＥネットワークエンティティと見なすことができ、一例では、自動選択構成要素３２０は、ハンドオーバ／再選択またはＬＴＥネットワークからのオフローディングのための発見されたＬＴＥ−Ｕ−Ｍネットワークを自動的に選択することができる。
【００５３】
[0059]（３）ＬＴＥ／ＬＴＥ−Ｕ−Ｍネットワーク（たとえば、またはネットワークエンティティ３０２などの関係するネットワークエンティティ）とＬＴＥ−Ｕ−Ｗネットワーク（たとえば、またはネットワークエンティティ３０４などの関係するネットワークエンティティ）との間のモビリティ／インターワーキングについて、ネットワーク接続構成要素３１２は、セルラーとＷＬＡＮとの間のモビリティ／インターワーキングについて３ＧＰＰにおいて定義されるシステムレベルインターワーキング機構を利用することができる。自動選択構成要素３２０と手動選択構成要素３２２とを介するそのようなネットワークのための例示的な自動および手動発見／選択について、以下でさらに説明する。モビリティについて、たとえば、ネットワーク接続構成要素３１２は、Ｓ２ａ、Ｓ２ｂまたはＮＳＷＯなど、３ＧＰＰ機構を使用することができる。その上、ＬＴＥ−Ｕネットワークが、旧来の３ＧＰＰサービスを与える事業者ネットワーク（たとえば、ＬＴＥ−Ｕ−Ｍ）と、ＬＴＥ−Ｕ−Ｍアクセスを与えるためにバックエンド上でＭＮＯに接続することに基づくＷＷＡＮホットスポットサービス（たとえば、ＬＴＥ−Ｕ−Ｗ）との両方として運営され得ることを諒解されたい。利用可能なネットワークを走査するときに、ネットワーク発見構成要素３１０はＬＴＥ−Ｕネットワークを検出し、アクセス層（ＡＳ）は利用可能なＬＴＥ−Ｕ−Ｗネットワークと利用可能なＬＴＥ−Ｕ−Ｍネットワークとの両方を上位レイヤに示す。ネットワーク接続構成要素３１２は、次いで、１つまたは複数のユーザ定義ポリシーまたは事業者定義ポリシーあるいはＬＴＥ−Ｕ−ＷまたはＬＴＥ−Ｕ−Ｍであるネットワークまたはネットワークのタイプの他の考慮事項などに基づいて、３ＧＰＰアクセスまたはこのネットワーク上のＷＷＡＮホットスポット機能に接続すべきかどうかを決定することができる。
【００５４】
[0060]（４）ＬＴＥ−Ｕ−ＷネットワークとＷＬＡＮネットワークとの間のモビリティ／インターワーキングについて、ＬＴＥ−Ｕ−ＷおよびＷＬＡＮは、ネットワーク接続構成要素３１２がユーザ定義ポリシーまたは事業者定義ポリシー、ネットワークタイプなど、および／あるいはアクセスの測定または報告された品質、ユーザ選好、サービスプロバイダポリシーなど、追加の考慮事項に基づいて、一方または他方を選択することができるような、２つの代替オフロード技術と見なされ得る。一例では、ネットワーク接続構成要素３１２中の接続マネージャは、選択、証明書を与えることなどでは、ＬＴＥ−Ｕ−ＷネットワークとＷＬＡＮネットワークとを同様に扱うことができる。その上、自動選択構成要素３２０および／または手動選択構成要素３２２は、（選択およびトラフィックステアリングポリシーのために）ＬＴＥ−Ｕ−Ｗについて、ＷｉＦｉについて定義されるように、ネットワークの選択および／またはネットワークのリストを提示するための、ＷＬＡＮネットワーク選択（ＷＬＡＮ＿ＮＳ）、ならびにアクセスネットワーク発見および選択機能（ＡＮＤＳＦ：access network discovery and selection function）サポートなどの３ＧＰＰ機構を利用することができる。
【００５５】
[0061]ネットワーク選択を実行するための上記の例示的なルールを使用して、ネットワーク発見構成要素３１０によってＬＴＥ−Ｕネットワークの利用可能性を検出すると、手動選択構成要素３２２は、ネットワークがＬＴＥ−Ｕ−Ｍであるのか、ＬＴＥ−Ｕ−Ｗであるのか、両方であるのかを決定することができ、（たとえば、ＬＴＥ−Ｕ−Ｍの場合）１つのＭＮＯネットワークのみの、または（たとえば、ＬＴＥ−Ｕ−Ｗの場合）ＷＷＡＮホットスポットの、または（ＭＮＯネットワークおよびホットスポットの場合）両方の存在を上位レイヤに報告し得る。一例では、説明したように、手動選択構成要素３２２は、（たとえば、ＷＬＡＮネットワークとともに）ＬＴＥ−Ｕ−Ｗネットワークを表示し得るが、ＬＴＥ−Ｕ−Ｍネットワークを表示しないことがある。ＬＴＥ−Ｕ−Ｗネットワークの利用可能性を検出すると、ネットワーク接続構成要素３１２は、上記で説明したおよびここでさらに説明する様々な考慮事項に基づいて、ＬＴＥ−Ｕ−Ｗに接続すべきかどうかおよび／またはどのＬＴＥ−Ｕ−Ｗネットワークに接続すべきかを選択することができる。
【００５６】
[0062]一例では、ネットワーク接続構成要素３１２は、使用中の現在の技術（たとえばＬＴＥ、ＷＬＡＮ、ＬＴＥ−Ｕ−Ｍなど）（たとえば、ネットワークエンティティ３０２の技術）に基づいて、ＬＴＥ−Ｕ−Ｗネットワークに接続すべきかどうかおよび／またはどのＬＴＥ−Ｕ−Ｗネットワークに接続すべきかを選択することができる。これは、たとえば、ネットワーク接続構成要素３１２中で構成され得、および／あるいは、１つまたは複数のユーザ定義ポリシーまたは事業者定義ポリシーに基づき得る。説明したように、ネットワーク接続構成要素３１２は、ユーザ定義ポリシー構成要素３２４または事業者定義ポリシー構成要素３２６中のユーザ定義ポリシーまたは事業者定義ポリシー（たとえば事業者ポリシー）に基づいて、ＬＴＥ−Ｕ−Ｗネットワークに接続すべきかどうかおよび／またはどのＬＴＥ−Ｕ−Ｗネットワークに接続すべきかを選択することができる。たとえば、事業者ポリシーは、システムレベルモビリティ（たとえば、Ｓ２ａ、Ｓ２ｂ、ＮＳＷＯ）または無線アクセスネットワーク（ＲＡＮ）／ｅＮＢレベルインターワーキングに関することができる。したがって、たとえば、ネットワーク発見構成要素３１０は、ＬＴＥ−Ｕ−Ｗネットワークと相互作用するＰＬＭＮを示す、ＬＴＥ−Ｕ−Ｗネットワークまたは関係するネットワークエンティティによって広告された情報を取り出すために、（たとえば、アクセスネットワーククエリプロトコル（ＡＮＱＰ：access network query protocol）プロシージャを使用して、Ｓ２ａ接続性をサポートするＬＴＥ−Ｕ−Ｗネットワークを発見することができる。ネットワーク接続構成要素３１２は、Ｓ２ａをサポートしないネットワークに優先してＳ２ａをサポートするネットワークを選択するように、ハンドオーバ／再選択、オフローディングなどのためのネットワークを選択する際にＳ２ａをサポートするネットワークを選好し得る。
【００５７】
[0063]したがって、一例では、ユーザ定義ポリシー構成要素３２４および／または事業者定義ポリシー構成要素３２６は、システム間ルーティングポリシー（ＩＳＲＰ：inter-system routing policy）、アクセスポイント名間（Ｉｎｔｅｒ−ＡＰＮ：inter-access point name）ルーティングポリシー（ＩＡＲＰ：Inter-APN routing policy）、ＷＬＡＮ選択ポリシー（ＷＬＡＮＳＰ：WLAN selection policy）など、ＡＮＤＳＦポリシーに関係する１つまたは複数のポリシーを含み得、それらのポリシーは、ＵＥ１０６がどのように３ＧＰＰアクセス（たとえば、ＬＴＥ）を介して、およびＬＴＥ−Ｕ−ＷまたはＷＬＡＮを介してトラフィックをルーティングすることができるかを示すことができる。一例では、１つまたは複数のポリシーは、ＵＥのＨＰＬＭＮによって与えられる無認可ホットスポット選択ルール（たとえば、ＷＬＡＮＳＰとして指定され得る、ＷＬＡＮとＬＴＥ−Ｕ−Ｗの両方または他のＷＷＡＮホットスポットのための選択ルール）をＵＥが選好すべきか否かを示し得る。ネットワーク接続構成要素３１２は、したがって、説明したように、１つまたは複数のポリシーに基づいて１つまたは複数のネットワークを選択することができる。
【００５８】
[0064]ＵＥ１０６が所与の通信リソース上でＬＴＥとＬＴＥ−Ｕ−Ｗとを介した同時動作が可能でない場合、たとえば、ＵＥ１０６がＷＬＡＮアクセスを介してＥＰＣに接続されるとき、ＩＡＲＰルールおよび／またはユーザ定義ポリシー／選好は、トラフィックが、指定されたパケットデータネットワーク（ＰＤＮ）接続内でルーティングされるべきであるのか、選択されたＬＴＥ−Ｕ−ＷまたはＷＬＡＮホットスポットにオフロードされるべきであるのかを決定するために使用され得る。同様に、ネットワーク接続構成要素３１２は、ＥＰＣ接続性が、ＬＴＥ−Ｕ−ＷまたはＷＬＡＮホットスポットアクセスよりも選好されるのか、３ＧＰＰアクセスよりも選好されるのかを決定するために、システム間モビリティポリシー（ＩＳＭＰ：inter-system mobility policy）を利用することができる。ＥＰＣ接続性が、ＬＴＥ−Ｕ−ＷまたはＷＬＡＮホットスポットアクセスよりも選好される（たとえば、ＡＮＤＳＦポリシー中の最も優先度の高いＩＳＭＰルールがＬＴＥ−Ｕ−ＷまたはＷＬＡＮ技術／ネットワークに対応する）とき、ＷＬＡＮＳＰルールは、最も選好されるＬＴＥ−Ｕ−ＷまたはＷＬＡＮホットスポットアクセスネットワークを決定するために使用され得る。
【００５９】
[0065]さらに、ネットワーク選択は、ＵＥ１０６がＬＴＥとＬＴＥ−Ｕ−Ｗとを介した同時動作が可能である場合、ユーザ定義ポリシー構成要素３２４または事業者定義ポリシー構成要素３２６中のポリシー（たとえば、ＷＬＡＮＳＰ）に基づいて（および／またはユーザが、手動選択構成要素３２２によって与えられるリスト中のＬＴＥ−Ｕ−Ｗネットワークを手動で選択することに基づいて）、ＬＴＥ−Ｕ−Ｗネットワークを、ネットワーク発見構成要素３１０が発見および報告することができ、ならびに／またはネットワーク接続構成要素３１２が選択することができるように、さらに、ＵＥ能力に基づき得る。この例では、ネットワークエンティティ３０２は、ＬＴＥネットワークに相関し得、ネットワークエンティティ３０４は、１つまたは複数のポリシーに基づいて他の利用可能なネットワークのうちの最も選好されるＬＴＥ−Ｕ−Ｗネットワークに相関し得る。ＵＥ１０６がＷＬＡＮネットワークに接続され（たとえば、ネットワークエンティティ３０４がＷＬＡＮ／ＷｉＦｉホットスポットであり）、ＩＳＲＰがＬＴＥ−Ｕ−Ｗネットワークを選好する場合、ＵＥ１０６がＬＴＥ−Ｕ−Ｗネットワークに遭遇し得ること、または新しいデータフローが、すでに発見されたＬＴＥ−Ｕ−Ｗネットワークを選好するルールをトリガすることが可能である。いずれの場合も、ネットワーク接続構成要素３１２は、それがＷＬＡＮネットワークから切断することを意味する場合でも、ＬＴＥ−Ｕ−Ｗネットワークに接続し得る。ロケーションにおける見込み、時刻、またはいくつかのネットワーク、ネットワークのタイプ、いくつかのサービスプロバイダのネットワークなどを選好することについて指定され得る他のパラメータなど、ポリシーに関係する他のイベントが、ネットワーク接続構成要素３１２に、異なるネットワーク、ネットワークのタイプ、あるサービスプロバイダに関連するネットワークなどを選択させ得る。いずれの場合も、ＬＴＥとＬＴＥ−Ｕ−Ｗとの間のトラフィックステアリングが、ＡＮＤＳＦポリシー、あるいはＵＥ１０６中で構成されるか、またはさもなければそれにプロビジョニングされるポリシーに基づき得ることを諒解されたい。
【００６０】
[0066]ＵＥ１０６がＬＴＥとＬＴＥ−Ｕ−Ｗとを介した同時動作が可能である場合、ならびにＵＥ１０６がＷＬＡＮにすでに接続されている（たとえば、ネットワークエンティティ３０２がＷＬＡＮネットワークエンティティである）場合、ユーザ定義ポリシー構成要素３２４または事業者定義ポリシー構成要素３２６中のポリシー（たとえば、ＷＬＡＮＳＰ）に基づいて（および／またはユーザが、手動選択構成要素３２２によって与えられるリスト中のＬＴＥ−Ｕ−Ｗネットワークを手動で選択することに基づいて）、（たとえば、ネットワークエンティティ３０４に関係する）ＬＴＥ−Ｕ−Ｗネットワークを、ネットワーク発見構成要素３１０は発見することができ、ネットワーク接続構成要素３１２は選択することができる。この点について、ネットワーク接続構成要素３１２は、ＬＴＥ、ＬＴＥ−Ｕ−ＷおよびＷＬＡＮに同時に接続することができ、ここで、ＬＴＥ−Ｕ−ＷネットワークおよびＷＬＡＮネットワークは、１つまたは複数のポリシーに基づいて他の利用可能なＬＴＥ−Ｕ−ＷネットワークおよびＷＬＡＮネットワークのうちの最も選好されるもの（および／または最も選好されるサービスプロバイダに関係するもの）であり得る。ＬＴＥとＬＴＥ−Ｕ−ＷとＷＬＡＮとの間のトラフィックステアリングは、ＡＮＤＳＦポリシー（たとえば、ＩＳＲＰ、ＩＡＲＰなど）、あるいはＵＥ１０６中で構成されるか、またはさもなければそれにプロビジョニングされるポリシーに基づく。たとえば、多元接続ＰＤＮ接続性（ＭＡＰＣＯＮ：multiple-access PDN connectivity）のためのＩＳＲＰ、ＩＰフローモビリティ（ＩＦＯＭ）のためのＩＳＲＰ、ＮＳＷＯのためのＩＳＲＰなどは、説明したように、ＰＤＮ接続確立、ＩＰフロー、オフローディングなどを決定するために、（たとえば、３ＧＰＰおよびＷＬＡＮネットワークとともに）優先アクセスネットワークのリスト中にＬＴＥ−Ｕ−Ｗネットワークを含めることができる。
【００６１】
[0067]特定の例では、自動選択において、ネットワーク接続構成要素３１２は、セルラーおよびＷＬＡＮ接続性を制御することができ、セルラーからＷＬＡＮまたはＬＴＥ−Ｕ−Ｗのいずれかあるいは同時に両方へのオフロードと、発見されたネットワークのためのＷＬＡＮとＬＴＥ−Ｕ−Ｗとの間のハンドオーバ／再選択とを選択することができる。ＷＬＡＮネットワーク選択について３ＧＰＰによって定義された機構（たとえばＲｅｌ．１２およびそれ以降からの３ＧＰＰ技術仕様書（ＴＳ）２３．４０２／ＴＳ２４．３０２中で定義されたＡＮＤＳＦおよびＷＬＡＮ＿ＮＳ機構に基づく機構）は、ＬＴＥ−Ｕ−Ｗを考慮するために拡張され得る。たとえば、ネットワーク発見構成要素３１０は、ＷＬＡＮワイヤレス通信について定義されたようにＨｏｔｓｐｏｔ２．０を使用してＷＬＡＮネットワーク特徴を発見することのほかに、Ｈｏｔｓｐｏｔ２．０を使用することと同様にＬＴＥ−Ｕ−Ｗ特徴をも発見することができ、ネットワーク接続構成要素３１２は、ネットワーク選択を実行するときにそのような特徴を考慮することができる。ユーザ定義ポリシー構成要素３２４および事業者定義ポリシー構成要素３２６中のユーザ定義ポリシーおよび事業者定義ポリシーは、ＷＬＡＮとＬＴＥ−Ｕ−Ｗとのためにポリシーを混合し、および／またはポリシーをＷＬＡＮとＬＴＥ−Ｕ−Ｗの両方に適用するものと見なすことができる。たとえば、ポリシールールが、選好されるネットワークのリストを含むとき、リストは、ＷＬＡＮネットワークの識別子（たとえば、サービスセット識別子（ＳＳＩＤ））とＬＴＥ−Ｕ−Ｗネットワークの識別子（たとえば、ホームノードＢ（ＨＮＢ）名）の両方を含むことができる。別の例では、ポリシールールが、選択されたネットワークによってサポートされるべき選好されるサービスプロバイダのリストを含むとき、ネットワーク接続構成要素３１２は、ネットワークアクセスのための選好されるサービスプロバイダをサポートするＷＬＡＮネットワークとＬＴＥ−Ｕ−Ｗネットワークの両方を考慮することができる（ならびに／あるいは手動選択構成要素３２２は、手動選択のためのインターフェース上にネットワークを提示するための選好されるサービスプロバイダをサポートするＷＬＡＮネットワークとＬＴＥ−Ｕ−Ｗネットワークの両方を考慮することができる）。たとえば、ネットワーク発見構成要素３１０は、この点について、選好されるサービスプロバイダに関係するＷＬＡＮネットワークおよび／またはＬＴＥ−Ｕ−Ｗネットワークを探索し得、これは、説明したように、１つまたは複数のＲＡＴなどの信号について、１つまたは複数の関係する周波数帯域を探索することを含み得る。
【００６２】
[0068]ＵＥ１０６に関連する事業者（たとえば、ＵＥ１０６のためのホームＰＬＭＮのＭＮＯ）および／またはＵＥ１０６に関連するユーザは、ＬＴＥ−Ｕ−Ｗが同時に使用され得るかどうか、およびどんな条件の下でそれらが使用され得るかを示すポリシーを定義することができ、それらは、たとえば、事業者定義ポリシー構成要素３２６および／またはユーザ定義ポリシー構成要素３２４によって記憶され、および／または管理され得る。一例では、所与のポリシーが、「同時ＬＴＥ−Ｕ−ＷおよびＷＬＡＮ」の指示を含むことができる。指示が設定されたとき、ＵＥ１０６がＬＴＥに接続され、ＬＴＥとＬＴＥ−Ｕ−Ｗとを介した同時送信、ＬＴＥ−Ｕ−ＷとＷＬＡＮとを介した同時接続などが可能である場合、ネットワーク接続構成要素３１２は、利用可能であるときに、およびポリシーにおいて定義された条件に従って、ＷＬＡＮネットワークと発見されたＬＴＥ−Ｕ−Ｗネットワークとの両方に接続することができる。ネットワーク接続構成要素３１２がＬＴＥ、ＬＴＥ−Ｕ−ＷおよびＷＬＡＮに、またはＬＴＥ−Ｕ−ＷおよびＷＬＡＮに同時に接続するとき、ＵＥ１０６は、どのデータ（たとえば、インターネットプロトコル（ＩＰ））トラフィックがどのアクセスを介して（たとえば、どちらのネットワークエンティティ３０２／３０４に）搬送されるかを決定するために、ＡＮＤＳＦポリシー（たとえばシステム間ルーティングポリシー（ＩＳＲＰ））またはデバイス中で構成されたポリシーを使用することができる。
【００６３】
[0069]手動選択において、これらの特定の例では、ＬＴＥ−Ｕ−Ｗは、ＷＬＡＮホットスポットと同じサービスプロビジョニングモデルを達成するために、ＷＬＡＮネットワークとしてデバイス中で扱われ、ＷＬＡＮと同じ接続性フレームワーク内で管理され得る。したがって、たとえば、利用可能なネットワークのための手動走査において、手動選択構成要素３２２は、利用可能なＷＬＡＮネットワークと利用可能なＬＴＥ−Ｕ−Ｗネットワークの両方を含む利用可能なネットワークのリストを、インターフェースを介して提示することができる。そのようなリストでは、ＬＴＥ−Ｕ−ＷネットワークのＨＮＢ名は、ＬＴＥ−Ｕ−Ｗネットワークの識別情報を示すために、ＷＬＡＮネットワークのＳＳＩＤのように使用され得る。このプロセスの一部として、手動選択構成要素３２２は、インターフェース上に他のＬＴＥ−Ｕネットワーク（たとえば、ＬＴＥ−Ｕ−ＯネットワークまたはＬＴＥ−Ｕ−Ｍネットワークはユーザによって手動で選択されるべきでないので、ＬＴＥ−Ｕ−ＯネットワークまたはＬＴＥ−Ｕ−Ｍネットワーク）を示さないことがある。
【００６４】
[0070]さらに、ＷＬＡＮネットワークの手動発見において、ＷＬＡＮホットスポットに関連する（１つまたは複数の）サービスプロバイダがＵＥ１０６のインターフェース上に示されるのと同様に、手動選択構成要素３２２は、インターフェースを介してＨｏｔｓｐｏｔ２．０の場合のように発見可能なＷＷＡＮ（たとえば、ＬＴＥ−Ｕ−Ｗ）ホットスポットに関連する（１つまたは複数の）サービスプロバイダまたは他の情報（アイコン、名前など）を示し得る。たとえば、手動選択構成要素３２２は、ディスプレイ上にリスト中のＷＬＡＮネットワークおよび／またはＬＴＥ−Ｕ−Ｗネットワークをリストし得、各ＬＴＥ−Ｕ−Ｗネットワークは、ＬＴＥ−Ｕ−ＷとしてＬＴＥ−Ｕ−Ｗネットワークを識別する識別子の近くにアイコンを有し得、および／または各ＷＬＡＮは、ＷＬＡＮとしてネットワークを識別するアイコンを有し得る。この機構では、手動選択構成要素３２２は、どのホットスポットに接続すべきかのユーザ選択を可能にするために、利用可能なホットスポット（たとえば、ＷＬＡＮまたはＬＴＥ−Ｕ−Ｗ）に関連する技術をユーザに提示し得る。さらに、証明書提供構成要素３３０が、ＵＥ１０６がＬＴＥ−Ｕ−Ｗホットスポットにアクセスするための証明書をすでにプロビジョニングされている（たとえば、ＵＥ１０６がホットスポットとの認証を可能にする証明書を有する）と（たとえば、走査／探索中に発見されたＬＴＥ−Ｕ−Ｗホットスポットの特徴に基づいて）決定した場合、証明書提供構成要素３３０は、（たとえば、ＷＬＡＮ／ＬＴＥ−Ｕ−Ｗネットワークのリスト中の関係する（１つまたは複数の）ネットワークのための）適切なアイコンの使用によってユーザにそのような情報を提示し得る。証明書提供構成要素３３０は、一例では、手動選択構成要素３２２による手動走査中に、ＵＥ１０６がそれのための証明書を有するサービスプロバイダを、ＬＴＥ−Ｕ−Ｗホットスポットによってサポートされるサービスプロバイダのリストと比較することによって、ＵＥ１０６がＬＴＥ−Ｕ−Ｗホットスポットのためにプロビジョニングされるかどうかを発見し得る。説明したように、たとえば、サービスプロバイダ識別構成要素３２８は、ＬＴＥ−Ｕ−Ｗホットスポットに関連する１つまたは複数のサービスプロバイダを決定することができ、証明書提供構成要素３３０は、証明書のストアがＬＴＥ−Ｕ−Ｗホットスポットに関連する１つまたは複数のサービスプロバイダのための証明書を含むかどうかを決定し得る。
【００６５】
[0071]一例では、ＬＴＥ−Ｕネットワークが手動選択構成要素３２２を介して手動で追加されると、そのようなネットワークは、ネットワーク発見構成要素３１０が動的に発見するＷＬＡＮネットワークおよびＬＴＥ−Ｕネットワークのリストとともに使用され得る。ＵＥ１０６またはそれのユーザが、選択されたネットワークがＷＬＡＮであるのかＬＴＥ−Ｕ−Ｗであるのかに気づいている必要がなく、むしろホットスポットが、名前またはサービスプロバイダ名によって選択され得ることを諒解されたい。これは、サービスプロバイダがＷＬＡＮとＬＴＥ−Ｕ−Ｗとをホットスポットとして互換可能なように展開することを可能にする。上記で説明したような、Ｈｏｔｓｐｏｔ２．０のような機構の再利用は、効率的でフレキシブルな展開モデルと接続性確立とを可能にすることができる。特定のサービスプロバイダをサポートするＬＴＥ−Ｕネットワークが、（たとえば、手動選択構成要素３２２による、またはさもなければネットワークのための証明書が取得されるような）選択のためのネットワークのリストに追加されるとき、サービスプロバイダ識別情報（およびＬＴＥ−Ｕ−Ｗ  ｅＮＢの後ろのＳＰを発見する能力）を使用することによって、証明書提供構成要素３３０は、他のネットワーク（たとえば、サービスプロバイダ識別構成要素３２８によって識別される同じサービスプロバイダを有するネットワーク）中のネットワークについて証明書を記憶および再利用することができる。一例では、証明書提供構成要素３３０は、サービスプロバイダのネットワークについて証明書を記憶し、サービスプロバイダの別のネットワークのための認証を要求する際に、それらの証明書を再利用することができ、ここで、それらのネットワークは異なるＲＡＴを使用する（たとえば、同じまたは同様の／関係するサービスプロバイダを有するＬＴＥ−Ｕ−ＷネットワークおよびＷＬＡＮネットワーク）。
【００６６】
[0072]上記の例では、ＬＴＥ−Ｕ−Ｗなどのネットワークのためのネットワーク識別子空間は管理されないことがあり、たとえば、（ＷＬＡＮの場合と同様であり得るように）いかなるエンティティも、異なるネットワークによって使用される識別子を管理しない。これは、異なるサービスプロバイダをもつ２つのネットワークが同じまたは同様のネットワーク識別子を使用することができることを暗示する。これにより、ネットワーク接続構成要素３１２は（たとえば第２のネットワークは、ＵＥ１０６に証明書を与えるネットワークとのローミング契約を有しないか、またはさもなければ証明書提供構成要素３３０からの証明書を有効化することができないので）第１のネットワーク識別子を使用して第１のネットワークへのアクセスを獲得するが、同じネットワーク識別子を有する第２のネットワークへはアクセスを獲得しないということになり得る。説明したように、この例では、ネットワークブラックリスティング構成要素３１４は、認証の失敗を決定することができ、ネットワークへの後続のアクセス試行を防ぐために、ブラックリストをネットワークに関する追加情報とともにポピュレートし得る。ネットワークブラックリスティング構成要素３１４は、この点についてブラックリストにネットワーク情報を追加することができる。ネットワークがネットワークブラックリスティング構成要素３１４によってブラックリストに追加されるとき、ネットワーク接続構成要素３１２は、アクセスを試みる前に後続のネットワークがブラックリスト中にないことを保証することができ、したがって、（たとえば、ネットワークが手動選択構成要素３２２を介して手動で追加されない限り）ブラックリストに載せられたネットワークへのアクセスは回避される。ブラックリストに追加されたネットワーク情報は、ネットワークのパブリックランドモバイルネットワーク（ＰＬＭＮ）識別子（存在する場合）、限定加入者グループ（ＣＳＧ）識別子、ＨＮＢ名、サポートされるサービスプロバイダなどを含むことができ、これらは、そのネットワークを、ＵＥ１０６が接続することができる同じ識別子をもつネットワークと区別するのを助けることができる。この点について、ネットワーク接続構成要素３１２は、アクセス／認証を要求する前に、ネットワークまたは関係するネットワークエンティティの識別子に関してだけでなく、場合によっては、ＰＬＭＮ識別子、ＣＳＧ識別子、ＨＮＢ名などに関してもブラックリストをフィルタ処理することに基づいて、ネットワーク発見構成要素３１０によって発見されたネットワーク（または関係するネットワークエンティティ）がブラックリスト中にあるかどうかを決定することができる。ネットワークブラックリスティング構成要素３１４が、説明したように、（たとえばサービスプロバイダ、デバイスの製造業者などによってＵＥ１０６中で構成された）あらかじめ定義された時間期間の間、そのようなネットワークをブラックリストに載せることができ、時間期間の後にそのネットワークをブラックリストから削除することができることを諒解されたい。
【００６７】
[0073]図６を参照すると、一実施形態による多元接続ワイヤレス通信システムが示されている。アクセスポイント６００（ＡＰ）は複数のアンテナグループを含み、あるアンテナグループは６０４と６０６とを含み、別のアンテナグループは６０８と６１０とを含み、追加のアンテナグループは６１２と６１４とを含む。図６では、アンテナグループごとに２つのアンテナのみが示されているが、アンテナグループごとにより多いまたはより少ないアンテナが利用され得る。アクセス端末６１６（ＡＴ）はアンテナ６１２および６１４と通信しており、アンテナ６１２および６１４は、順方向リンク６２０上でアクセス端末６１６に情報を送信し、逆方向リンク６１８上でアクセス端末６１６から情報を受信する。アクセス端末６２２はアンテナ６０４および６０６と通信しており、アンテナ６０４および６０６は、順方向リンク６２６上でアクセス端末６２２に情報を送信し、逆方向リンク６２４上でアクセス端末６２２から情報を受信する。ＦＤＤシステムでは、通信リンク６１８、６２０、６２４および６２６は、通信のための異なる周波数を使用することができる。たとえば、順方向リンク６２０は、逆方向リンク６１８によって使用される周波数とは異なる周波数を使用することができる。ＡＴ６１６および／または６２２は、本明細書で説明するように、ＵＥ１０６であり得、および／またはそれを含み得、したがって、（たとえば、ＷＷＡＮホットスポット、ＷｉＦｉホットスポットなどによって）アクセスが広告される１つまたは複数のネットワークを発見するためのネットワーク発見構成要素３１０、１つまたは複数のポリシーに少なくとも部分的に基づいてネットワークのうちの１つまたは複数と通信するためのネットワーク接続構成要素３１２、および／または少なくとも時間期間の間、認証が失敗するネットワークにアクセスするための後続の試みを防ぐために、ブラックリストにそのネットワークを追加するためのネットワークブラックリスティング構成要素３１４など、ＵＥ１０６の１つまたは複数の構成要素を含み得る。
【００６８】
[0074]アンテナの各グループ、および／またはアンテナが通信するように設計されたエリアは、しばしば、アクセスポイントのセクタと呼ばれる。本実施形態では、アンテナグループはそれぞれ、アクセスポイント６００によってカバーされるエリアのセクタ中でアクセス端末に通信するように設計される。
【００６９】
[0075]順方向リンク６２０および６２６上の通信では、アクセスポイント６００の送信アンテナは、異なるアクセス端末６１６および６２２に対して順方向リンクの信号対雑音比を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。
【００７０】
[0076]その上、アクセス端末６１６および６２２は、ネットワークエンティティを発見し、関係する選択プロシージャを実行するために、上記でＵＥ１０６に関して説明した、ＵＥ機能を与えることができる。同様に、この点について、アクセスポイント６００は、本明細書で説明するように、ＵＥ１０６がネットワークアクセスのためにそれに通信し、および／またはそれを選択することができるネットワークエンティティ３０２／３０４を含むことができる。
【００７１】
[0077]図７は、ＭＩＭＯシステム７００における送信機システム７１０（アクセスポイントとしても知られる）および受信機システム７５０（アクセス端末としても知られる）の一実施形態のブロック図である。一例では、受信機システム７５０は、本明細書で説明するように、ＵＥ１０６であり得、および／またはそれを含み得、したがって、（たとえば、ＷＷＡＮホットスポット、ＷｉＦｉホットスポットなどによって）アクセスが広告される１つまたは複数のネットワークを発見するためのネットワーク発見構成要素３１０、１つまたは複数のポリシーに少なくとも部分的に基づいてネットワークのうちの１つまたは複数と通信するためのネットワーク接続構成要素３１２、および／または少なくとも時間期間の間、認証が失敗するネットワークにアクセスするための後続の試みを防ぐために、ブラックリストにそのネットワークを追加するためのネットワークブラックリスティング構成要素３１４など、ＵＥ１０６の１つまたは複数の構成要素を含み得る。送信機システム７１０において、いくつかのデータストリームのトラフィックデータがデータソース７１２から送信（ＴＸ）データプロセッサ７１４に与えられる。さらに、送信機システム７１０および／または受信機システム７５０は、それらの間のワイヤレス通信を可能にするために、本明細書で説明するシステム（図１〜図３、および図６）および／または方法（図４および図５）を採用することができることを諒解されたい。たとえば、本明細書で説明するシステムおよび／または方法の構成要素または機能は、以下で説明するメモリ７３２および／または７７２あるいはプロセッサ７３０および／または７７０の一部であり得、ならびに／あるいは開示する機能を実行するためにプロセッサ７３０および／または７７０によって実行され得る。
【００７２】
[0078]一実施形態では、各データストリームは、それぞれの送信アンテナを介して送信される。ＴＸデータプロセッサ７１４は、コード化データを与えるために、各データストリームのトラフィックデータを、そのデータストリームのために選択された特定のコーディング方式に基づいてフォーマットし、コーディングし、インターリーブする。
【００７３】
[0079]各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。各データストリームの多重化されたパイロットデータおよびコード化データは、次いで、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）される。各データストリームのデータレート、コーディング、および変調は、プロセッサ７３０によって実行される命令によって決定され得る。
【００７４】
[0080]次いで、すべてのデータストリームの変調シンボルがＴＸ  ＭＩＭＯプロセッサ７２０に与えられ、ＴＸ  ＭＩＭＯプロセッサ７２０はさらに（たとえば、ＯＦＤＭ用に）その変調シンボルを処理することができる。ＴＸ  ＭＩＭＯプロセッサ７２０は、次いで、ＮT個の変調シンボルストリームをＮT個の送信機（ＴＭＴＲ）７２２ａ〜７２２ｔに与える。いくつかの実施形態では、ＴＸ  ＭＩＭＯプロセッサ７２０は、データストリームのシンボルと、シンボルの送信元のアンテナとにビームフォーミング重みを適用する。
【００７５】
[0081]各送信機７２２は、１つまたは複数のアナログ信号を与えるために、それぞれのシンボルストリームを受信および処理し、さらに、ＭＩＭＯチャネルを介して送信するのに適した被変調信号を与えるために、それらのアナログ信号を調整（たとえば、増幅、フィルタ処理、およびアップコンバート）する。送信機７２２ａ〜７２２ｔからのＮT個の被変調信号は、次いで、それぞれＮT個のアンテナ７２４ａ〜７２４ｔから送信される。
【００７６】
[0082]受信機システム７５０において、送信された被変調信号は、ＮR個のアンテナ７５２ａ〜７５２ｒによって受信され、各アンテナ７５２からの受信信号は、それぞれの受信機（ＲＣＶＲ）７５４ａ〜７５４ｒに与えられる。各受信機７５４は、サンプルを与えるためにそれぞれの受信信号を調整（たとえば、フィルタ処理、増幅、およびダウンコンバート）し、調整された信号をデジタル化し、さらに、対応する「受信」シンボルストリームを与えるために、それらのサンプルを処理する。
【００７７】
[0083]次いで、ＲＸデータプロセッサ７６０が、ＮR個の受信機７５４からＮR個の受信シンボルストリームを受信し、ＮT個の「検出」シンボルストリームを与えるために特定の受信機処理技法に基づいて処理する。ＲＸデータプロセッサ７６０は、次いで、データストリームのためのトラフィックデータを復元するために、各検出シンボルストリームを復調し、デインターリーブし、復号する。ＲＸデータプロセッサ７６０による処理は、送信機システム７１０におけるＴＸ  ＭＩＭＯプロセッサ７２０およびＴＸデータプロセッサ７１４によって実行される処理を補足するものである。
【００７８】
[0084]プロセッサ７７０は、どのプリコーディング行列を使用すべきかを周期的に決定する。プロセッサ７７０は、行列インデックス部分とランク値部分とを備える逆方向リンクメッセージを構築する。
【００７９】
[0085]逆方向リンクメッセージは、通信リンクおよび／または受信データストリームに関する様々なタイプの情報を備えることができる。逆方向リンクメッセージは、次いで、データソース７３６からいくつかのデータストリームのトラフィックデータをも受信するＴＸデータプロセッサ７３８によって処理され、変調器７８０によって変調され、送信機７５４ａ〜７５４ｒによって調整され、送信機システム７１０に返信される。
【００８０】
[0086]送信機システム７１０において、受信機システム７５０からの被変調信号は、受信機システム７５０によって送信された逆方向リンクメッセージを抽出するために、アンテナ７２４によって受信され、受信機７２２によって調整され、復調器７４０によって復調され、ＲＸデータプロセッサ７４２によって処理される。次いで、プロセッサ７３０は、ビームフォーミング重みを決定するためにどのプリコーディング行列を使用すべきかを決定し、次いで、抽出されたメッセージを処理する。
【００８１】
[0087]プロセッサ７３０および７７０は、それぞれ送信機システム７１０および受信機システム７５０における動作を指示（たとえば、制御、調整、管理など）することができる。それぞれのプロセッサ７３０および７７０は、プログラムコードおよびデータを記憶するメモリ７３２および７７２に関連付けられ得る。たとえば、プロセッサ７３０および７７０は、ＵＥ１０６、ｅＮＢ１０８、ネットワークエンティティ３０２／３０４などに関して本明細書で説明する機能を実行することができ、および／または対応する構成要素のうちの１つまたは複数を動作させることができる。同様に、メモリ７３２および７７２は、機能または構成要素を実行するための命令、および／あるいは関係するデータを記憶することができる。
【００８２】
[0088]本明細書で開示した実施形態に関して説明した様々な例示的なロジック、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【００８３】
[0089]１つまたは複数の態様では、説明した機能、方法、またはアルゴリズムは、ハードウェア、ソフトウェア、ファームウェア、またはそれらの任意の組合せで実装され得る。ソフトウェアで実装される場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）（disc）を含み、ディスク（disk）は、通常、データを磁気的に再生し、ディスク（disc）は、通常、データをレーザーで光学的に再生する。上記の組合せもコンピュータ可読媒体の範囲内に含まれるべきである。
【００８４】
[0090]上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求され得るが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。
以下に本願の出願当初の特許請求の範囲に記載された発明を付記する。
［Ｃ１］  ワイヤレスネットワークサービスを検出するための方法であって、
ユーザ機器（ＵＥ）において、無認可周波数帯域中でセルラー無線アクセス技術（ＲＡＴ）を介してサービスプロバイダネットワークへのアクセスを広告するネットワークを発見することと、
前記ＵＥによって、前記ネットワークを選択することに関係する１つまたは複数のユーザ定義ポリシーまたは事業者定義ポリシーを決定することと、
前記１つまたは複数のユーザ定義ポリシーまたは事業者定義ポリシーに少なくとも部分的に基づいて、アクセスのための前記ネットワークを選択することと
を備える、方法。
［Ｃ２］  前記ネットワークに関係する前記１つまたは複数のユーザ定義ポリシーまたは事業者定義ポリシーを決定することが、前記サービスプロバイダネットワークに関係するサービスプロバイダまたは前記ネットワークのタイプを有するネットワークを選択することに関係する、前記１つまたは複数のユーザ定義ポリシーまたは事業者定義ポリシーを決定することを備える、Ｃ１に記載の方法。
［Ｃ３］  アクセスのための前記ネットワークを選択することが、さらに、アクセスのための前記ネットワークを選択することの前に、前記ネットワークのタイプまたはサービングネットワークの別のタイプのうちの少なくとも１つに少なくとも部分的に基づく、Ｃ１に記載の方法。
［Ｃ４］  前記１つまたは複数のユーザ定義ポリシーまたは事業者定義ポリシーのうちの少なくとも１つが、ワイヤレスローカルエリアネットワークと、前記無認可周波数帯域中で前記セルラーＲＡＴを使用して通信する前記ネットワークの両方に関する、Ｃ１に記載の方法。
［Ｃ５］  前記ネットワークを発見することが、ワイヤレスローカルエリアネットワーク（ＷＬＡＮ）と、前記無認可周波数帯域中で前記セルラーＲＡＴを使用して通信するネットワークの両方を含む複数のネットワークを探索することを備える、Ｃ１に記載の方法。
［Ｃ６］  インターフェースを介して利用可能なネットワークのリストを与えることをさらに備え、ここにおいて、利用可能なネットワークの前記リストが、少なくとも１つのＷＬＡＮの識別子と、前記無認可周波数帯域中で前記セルラーＲＡＴを使用して通信する少なくとも１つのネットワークの別の識別子とを含む、Ｃ５に記載の方法。
［Ｃ７］  前記無認可周波数帯域中で前記セルラーＲＡＴを使用して通信する前記少なくとも１つのネットワークについて証明書が記憶されているかどうかを、前記インターフェースを介して示すことをさらに備える、Ｃ６に記載の方法。
［Ｃ８］  前記複数のネットワークを探索することが、前記１つまたは複数のユーザ定義ポリシーまたは事業者定義ポリシーに少なくとも部分的に基づく、Ｃ５に記載の方法。
［Ｃ９］  前記ネットワークを選択することが、前記１つまたは複数のユーザ定義ポリシーまたは事業者定義ポリシーに少なくとも部分的に基づいて、前記ネットワークおよびＷＬＡＮを使用して同時に通信するための前記ネットワークを選択することを備える、Ｃ５に記載の方法。
［Ｃ１０］  前記１つまたは複数のユーザ定義ポリシーまたは事業者定義ポリシーが、前記ＷＬＡＮと、前記セルラーＲＡＴを使用して通信する前記ネットワークとへの同時接続が可能にされるかどうかを示す、Ｃ５に記載の方法。
［Ｃ１１］  前記サービスプロバイダネットワークに関係する第２のネットワークが、前記無認可周波数帯域中で前記セルラーＲＡＴを介してモバイルネットワーク事業者（ＭＮＯ）ネットワークへのアクセスを広告すると決定することと、
１つまたは複数の上位レイヤに前記ネットワークと前記第２のネットワークとを報告することと、ここにおいて、前記ネットワークを選択することが、前記ネットワークまたは前記第２のネットワークを選択することを含む、
をさらに備える、Ｃ１に記載の方法。
［Ｃ１２］  前記ネットワークを選択することにおける認証の失敗を検出することに少なくとも部分的に基づいて、ブラックリストに前記ネットワークのネットワーク識別子を追加することをさらに備える、Ｃ１に記載の方法。
［Ｃ１３］  前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ１２に記載の方法。
［Ｃ１４］  構成された時間期間の後に前記ブラックリストから前記ネットワークを削除することをさらに備える、Ｃ１２に記載の方法。
［Ｃ１５］  前記ネットワークを選択することが、ハンドオーバ、再選択、またはオフローディングのための前記ネットワークを選択することを備える、Ｃ１に記載の方法。
［Ｃ１６］  前記ネットワーク上で前記ＵＥを認証するために前記ネットワークに証明書を与えることをさらに備え、ここにおいて、前記証明書が、前記サービスプロバイダネットワークのサービスプロバイダに関係する別のネットワークの選択に関する、Ｃ１に記載の方法。
［Ｃ１７］  ワイヤレスネットワークサービスを検出するための装置であって、
無認可周波数帯域中でセルラー無線アクセス技術（ＲＡＴ）を介してサービスプロバイダネットワークへのアクセスを広告するネットワークを発見するように構成されたネットワーク発見構成要素と、
前記ネットワークを選択することに関係する１つまたは複数のユーザ定義ポリシーまたは事業者定義ポリシーを決定するように構成されたユーザ定義ポリシー構成要素または事業者定義ポリシー構成要素と、
前記１つまたは複数のユーザ定義ポリシーまたは事業者定義ポリシーに少なくとも部分的に基づいて、アクセスのための前記ネットワークを選択するように構成されたネットワーク接続構成要素と
を備える、装置。
［Ｃ１８］  前記ユーザ定義ポリシー構成要素または前記事業者定義ポリシー構成要素が、前記サービスプロバイダネットワークに関係するサービスプロバイダまたは前記ネットワークのタイプを有するネットワークを選択することに関係する、前記１つまたは複数のユーザ定義ポリシーまたは事業者定義ポリシーを決定するように構成された、Ｃ１７に記載の装置。
［Ｃ１９］  前記ネットワーク接続構成要素が、さらに、アクセスのための前記ネットワークを選択することの前に、前記ネットワークのタイプまたはサービングネットワークの別のタイプのうちの少なくとも１つに少なくとも部分的に基づいて、アクセスのための前記ネットワークを選択するように構成された、Ｃ１７に記載の装置。
［Ｃ２０］  前記１つまたは複数のユーザ定義ポリシーまたは事業者定義ポリシーのうちの少なくとも１つが、ワイヤレスローカルエリアネットワークと、前記無認可周波数帯域中で前記セルラーＲＡＴを使用して通信する前記ネットワークの両方に関する、Ｃ１７に記載の装置。
［Ｃ２１］  前記ネットワーク発見構成要素が、ワイヤレスローカルエリアネットワーク（ＷＬＡＮ）と、前記無認可周波数帯域中で前記セルラーＲＡＴを使用して通信するネットワークの両方を含む複数のネットワークを探索することに少なくとも部分的に基づいて、前記ネットワークを発見するように構成された、Ｃ１７に記載の装置。
［Ｃ２２］  インターフェースを介して利用可能なネットワークのリストを与えるように構成された手動選択構成要素をさらに備え、ここにおいて、利用可能なネットワークの前記リストが、少なくとも１つのＷＬＡＮの識別子と、前記無認可周波数帯域中で前記セルラーＲＡＴを使用して通信する少なくとも１つのネットワークの別の識別子とを含む、Ｃ２１に記載の装置。
［Ｃ２３］  前記ネットワーク発見構成要素が、前記１つまたは複数のユーザ定義ポリシーまたは事業者定義ポリシーに少なくとも部分的に基づいて、前記複数のネットワークを探索するように構成された、Ｃ２１に記載の装置。
［Ｃ２４］  前記ネットワーク接続構成要素が、前記１つまたは複数のユーザ定義ポリシーまたは事業者定義ポリシーに少なくとも部分的に基づいて、前記ネットワークおよびＷＬＡＮを使用して同時に通信するための前記ネットワークを選択するように構成された、Ｃ２１に記載の装置。
［Ｃ２５］  前記ネットワークを選択することにおける認証の失敗を検出することに少なくとも部分的に基づいて、ブラックリストに前記ネットワークのネットワーク識別子を追加するように構成されたネットワークブラックリスティング構成要素をさらに備え、ここにおいて、前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ２１に記載の装置。
［Ｃ２６］  ワイヤレスネットワークサービスを検出するための装置であって、
無認可周波数帯域中でセルラー無線アクセス技術（ＲＡＴ）を介してサービスプロバイダネットワークへのアクセスを広告するネットワークを発見するための手段と、
前記ネットワークを選択することに関係する１つまたは複数のユーザ定義ポリシーまたは事業者定義ポリシーを決定するための手段と、
前記１つまたは複数のユーザ定義ポリシーまたは事業者定義ポリシーに少なくとも部分的に基づいて、アクセスのための前記ネットワークを選択するための手段と
を備える、装置。
［Ｃ２７］  決定するための前記手段が、前記サービスプロバイダネットワークに関係するサービスプロバイダまたは前記ネットワークのタイプを有するネットワークを選択することに関係する、前記１つまたは複数のユーザ定義ポリシーまたは事業者定義ポリシーを決定する、Ｃ２６に記載の装置。
［Ｃ２８］  前記ネットワークを選択することにおける認証の失敗を検出することに少なくとも部分的に基づいて、ブラックリストに前記ネットワークのネットワーク識別子を追加するための手段をさらに備え、ここにおいて、前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ２６に記載の装置。
［Ｃ２９］  ワイヤレスネットワークサービスを検出するためのコンピュータ実行可能コードを備えるコンピュータ可読記憶媒体であって、前記コードが、
無認可周波数帯域中でセルラー無線アクセス技術（ＲＡＴ）を介してサービスプロバイダネットワークへのアクセスを広告するネットワークを発見するためのコードと、
前記ネットワークを選択することに関係する１つまたは複数のユーザ定義ポリシーまたは事業者定義ポリシーを決定するためのコードと、
前記１つまたは複数のユーザ定義ポリシーまたは事業者定義ポリシーに少なくとも部分的に基づいて、アクセスのための前記ネットワークを選択するためのコードと
を備える、コンピュータ可読記憶媒体。
［Ｃ３０］  前記ネットワークを選択することにおける認証の失敗を検出することに少なくとも部分的に基づいて、ブラックリストに前記ネットワークのネットワーク識別子を追加するためのコードをさらに備え、ここにおいて、前記ブラックリストに前記ネットワーク識別子を追加することが、前記ネットワーク識別子を有する他のネットワークと前記ネットワークを区別することを可能にするために、前記ブラックリストに、パブリックランドモバイルネットワーク、限定加入者グループ、サービスプロバイダ、またはホームノードＢ識別子を追加することを備える、Ｃ２９に記載のコンピュータ可読記憶媒体。
【図１】
0006545714.tif 000002
【図２】
0006545714.tif 000003
【図３】
0006545714.tif 000004
【図４】
0006545714.tif 000005
【図５】
0006545714.tif 000006
【図６】
0006545714.tif 000007
【図７】
0006545714.tif 000008